(57)【要約】  冷媒液体を蒸発させることと、複数の繰り返しサイクルにおいて冷媒蒸気を凝縮することと、を含む種類の加熱及び／又は冷却を提供するための方法を開示し、本方法は、（ａ）少なくとも約５重量％の低級アルキルヨードフルオロカーボンを含む冷媒を提供することと、（ｂ）当該複数の当該サイクルの少なくとも一部分において、当該冷媒の少なくとも一部分を封鎖材料に曝露することと、を含み、この封鎖材料は、ｉ）銅又は銅合金、ｉｉ）銅、銀、鉛、又はこれらの組み合わせを含むモレキュラーシーブ（好ましくはゼオライト）、ｉｉｉ）陰イオン交換樹脂、及びｉｖ）これらのうちの２つ以上の組み合わせを含み、当該曝露温度は、好ましくは約２０℃超である。【選択図】図１Ｂ
2020535370.tif 000002
【特許請求の範囲】
【請求項１】
冷媒液体を蒸発させて冷媒蒸気を生成することと、前記冷媒蒸気の少なくとも一部分を圧縮機で圧縮することと、複数の繰り返しサイクルにおいて凝縮器内で前記冷媒蒸気を凝縮することと、を含む種類の伝達を提供するための方法であって、前記方法が、
（ａ）少なくとも約５重量％の低級アルキルヨードフルオロカーボンを含む冷媒を提供することと、
（ｂ）所望によるが、好ましくは、前記圧縮機に潤滑剤を提供することと、
（ｃ）前記複数の前記サイクルの少なくとも一部分において、前記冷媒の少なくとも一部分及び／又は前記潤滑剤少なくとも一部分を封鎖材料に曝露することと、を含み、前記封鎖材料が、
ｉ．銅又は銅合金、
ｉｉ．活性アルミナ、
ｉｉｉ．銅、銀、鉛、又はこれらの組み合わせを含むゼオライトモレキュラーシーブ、
ｉｖ．陰イオン交換樹脂、
ｖ．水分除去材料、好ましくは水分除去モレキュラーシーブ、及び
ｖｉ．上記のうちの２つ以上の組み合わせを含み、
前記曝露温度が約１０℃超である、方法。
【請求項２】
前記モレキュラーシーブが存在し、前記モレキュラーシーブがゼオライトである、請求項１に記載の方法。
【請求項３】
前記封鎖材料が、銅、銀、鉛、又はこれらの組み合わせを含むモレキュラーシーブを含む、請求項１に記載の方法。
【請求項４】
前記封鎖材料が、陰イオン交換樹脂を含む、請求項１に記載の方法。
【請求項５】
前記封鎖材料が、少なくとも活性アルミナ及び陰イオン交換樹脂を含む、請求項１に記載の組成物。
【請求項６】
前記封鎖材料が、活性アルミナと、銅、銀、鉛、又はこれらの組み合わせを含むゼオライトモレキュラーシーブと、陰イオン交換樹脂と、水分除去材料との組み合わせを含む、請求項１に記載の方法組成物。
【請求項７】
前記封鎖材料が、フィルタ要素内に含まれる、請求項６に記載の方法。
【請求項８】
前記封鎖材料が、中実コアの形態である、請求項６に記載の方法。
【請求項９】
前記中実コアが、前記凝縮器の液体ライン内に位置する、請求項８に記載の方法。
【請求項１０】
前記方法が、油分離器を提供することを更に含み、前記封鎖材料が、前記油分離器内に位置する、請求項１０に記載の方法。
【発明の詳細な説明】
【技術分野】
【０００１】
（関連出願の相互参照）
本出願は、その各々が参照により本明細書に組み込まれる、２０１７年９月１９日に出願された米国仮出願第６２／５６０，５５８号、及び２０１７年１１月１７日に出願された米国仮出願第６２／５８７，６００号に関し、優先権の利益を主張するものである。
【０００２】
（発明の分野）
本発明は、空調、冷凍、並びにヒートポンプ方法及び装置を含む、ヨードフルオロカーボン冷媒を使用して熱を伝達するための方法、システム、及び組成物に関する。
【背景技術】
【０００３】
産業用、商用、及び家庭用の用途について、冷媒を使用した機械熱伝達システム、並びにヒートポンプ及び空調機などの関連する熱伝達デバイスが当該技術分野で周知である。特定のクロロフルオロカーボン（ＣＦＣ）は、かかるシステムのための冷媒として１９３０年代に開発された。しかしながら、１９８０年代以降、成層圏オゾン層に対するＣＦＣの影響が多くの注目を集めるようになった。１９８７年には、ＣＦＣ製品の使用の段階的削減のためのタイムテーブルを定めた、地球環境を保護するためのモントリオール議定書に多くの政府が署名した。水素を含有する、より環境的に許容される材料、すなわち特定のヒドロクロロフルオロカーボン（ＨＣＦＣ）がＣＦＣに取って代わった。しかしながら、モントリオール議定書のその後の改正は、ＣＦＣの段階的削減を加速させ、ＨＣＦＣの段階的削減もスケジュールされた。
【０００４】
使用してきたＣＦＣ及びＨＣＦＣに代わる、より環境的に許容可能な代替物の要求に応じて、業界では、オゾン層破壊係数がゼロであるいくつかのヒドロフルオロカーボン（ＨＦＣ）が開発された。しかしながら、その後に、同じＨＦＣの多くが高い地球温暖化係数を有することが見出され、したがって、業界は、低い地球温暖化係数及び低いオゾン層破壊に関して環境的に許容可能である代替的な冷媒を探した。
【０００５】
ヨードフルオロカーボントリフルオロヨードメタン（「ＣＦ３Ｉ」）は、冷媒として知られており、非常に低い地球温暖化係数（Ｇｌｏｂａｌ  Ｗａｒｎｉｎｇ  Ｐｏｔｅｎｔｉａｌ、ＧＷＰ）及びオゾン層破壊係数（Ｏｚｏｎｅ  Ｄｅｐｌｅｔｉｏｎ  Ｐｏｔｅｎｔｉａｌ、ＯＤＰ）を有する。本発明の譲受人に譲渡された米国特許出願公開第２００８／０１１６４１７号は、ハイドロフルオロアルケン及びヨードカーボンを含有する熱伝達組成物からヨウ素及びヨウ化物イオンを取り除くための方法を開示している。米国特許出願公開第２００８／０１１６４１７号は、ＣＦ３Ｉなどのヨードカーボンを含む冷媒は、ヨウ素、ヨウ化物イオン、有機ラジカル、及びヨウ素含有無機酸の形成を促進する温度及び他の条件下で、冷媒システムの特定の成分に曝露されることでかかる化合物がもたらされ得、熱伝達システムの信頼性、及び／又はシステム内に存在する任意の潤滑剤の安定性に負の影響を及ぼし得ることを開示している。これらの不必要なヨウ素及びヨウ化物イオンは、熱伝達システム又は自動車用冷凍システム内を循環している組成物と、金属含浸モレキュラーシーブ、金属含浸イオン交換樹脂、金属含浸粘土、又は金属含浸アルミナとを接触させることによって、かかる熱伝達組成物及び自動車用冷凍組成物から取り除くことができることが述べられている。
【０００６】
米国特許出願公開第２００８／０１１６４１７号に開示される方法、システム、及び組成物は、かかるシステムの改善においてある程度の成功を実現することができているかもしれないが、出願人らは、後に下で詳細に説明するように、不必要なイオンを組成物から取り除くために含まれる特定の材料及び材料の組み合わせ、並びに／又は材料がシステム及び方法に含まれる特定の場所／様態、並びに／又は組成物及び材料が接触している温度の特定の選択により、驚くほど、かつ予想外に素晴らしい結果をもたらすことができ、これにより、驚くほど、かつ予想外に改善されたシステム、方法、及び組成物を生成することができることを見出した。
【図面の簡単な説明】
【０００７】
【図１Ａ】本発明の実施形態による、封鎖材料の場所を概略的に例示する図である。
【図１Ｂ】例示的なフィルタの概略図である。
【図２Ａ】本発明の実施形態による、例示的な蒸気圧縮熱伝達システムの概略図であり、また、封鎖材料の場所を概略的に例示する。
【図３Ａ】本発明の実施形態による、封鎖材料の場所を概略的に例示する図である。
【図３Ｂ】本発明の実施形態による、封鎖材料の場所を概略的に例示する図である。
【図４】本開示の一実施形態による、フィルタアセンブリの概略図である。
【図５】本発明の実施形態による、封鎖材料の場所を概略的に例示する図である。
【発明の概要】
【０００８】
本発明は、冷媒液体を蒸発させて冷媒蒸気を生成することと、冷媒蒸気の少なくとも一部分を圧縮機で圧縮することと、複数の繰り返しサイクルにおいて冷媒蒸気を凝縮することと、を含む種類の、熱の伝達を提供するための方法であって、当該方法は、
（ａ）少なくとも約５重量％の低級アルキルヨードフルオロカーボンを含む冷媒を提供することと、
（ｂ）所望によるが、好ましくは当該圧縮機に潤滑剤を提供することと、
（ｃ）当該複数の当該サイクルの少なくとも一部分において、当該冷媒の少なくとも一部分及び／又は当該潤滑剤少なくとも一部分を封鎖材料に曝露することと、を含み、この封鎖材料は、
ｉ．銅又は銅合金、
ｉｉ．活性アルミナ、
ｉｉｉ．銅、銀、鉛、又はこれらの組み合わせを含むゼオライトモレキュラーシーブ、
ｉｉｖ．陰イオン交換樹脂、
ｖ．水分除去材料、好ましくは水分除去モレキュラーシーブ、及び
ｉｖ．上記のうちの２つ以上の組み合わせを含み、
当該曝露温度は、好ましくは約１０℃超である。便宜上、本段落による熱を伝達するための方法は、本明細書では、熱伝達方法１と称される。
【０００９】
本明細書で使用するとき、「低級アルキルヨードフルオロカーボン」という用語は、１〜４個の炭素原子及び少なくとも１個のフッ素置換基及び少なくとも１個のヨウ素置換基を有する有機化合物を意味する。
【００１０】
本明細書で使用するとき、「温度に曝露する」という用語は、冷媒及び封鎖材料が本方法の既存の曝露工程に従って接触している間の、冷媒及び／又は封鎖材料のいずれか、好ましくは両方の温度を意味する。
【００１１】
本明細書で使用するとき、「冷媒１」という用語は、少なくとも約５重量％の低級アルキルヨードフルオロカーボンを含む冷媒を指す。
【００１２】
本明細書で使用するとき、「冷媒２」という用語は、少なくとも約５重量％のＣＦ３Ｉを含む冷媒を指す。
【００１３】
本明細書で使用するとき、「冷媒３」という用語は、約５重量％〜約７０重量％の低級アルキルヨードフルオロカーボンを含む冷媒を指す。
【００１４】
本明細書で使用するとき、「冷媒４」という用語は、約５重量％〜約７０重量％のＣＦ３Ｉを含む冷媒を指す。
【００１５】
本明細書で使用するとき、「冷媒５」という用語は、約２０重量％〜約７０重量％の低級アルキルヨードフルオロカーボンを含む冷媒を指す。
【００１６】
本明細書で使用するとき、「冷媒６」という用語は、約２０重量％〜約７０重量％のＣＦ３Ｉを含む冷媒を指す。
【００１７】
本明細書で使用するとき、「冷媒７」という用語は、約４５重量％〜約６０重量％の低級アルキルヨードフルオロカーボンを含む冷媒を指す。
【００１８】
本明細書で使用するとき、「冷媒８」という用語は、約４５重量％〜約６０重量％のＣＦ３Ｉを含む冷媒を指す。
【００１９】
本明細書で使用するとき、（ｉ．）銅又は銅合金、（ｉｉ．）活性アルミナ、（ｉｉｉ．）銅、銀、鉛、又はこれらの組み合わせを含むゼオライトモレキュラーシーブ、（ｉｖ．）陰イオン交換樹脂、及び（ｖ．）水分除去材料、のうちの２つ以上を含む封鎖材料は、本明細書において、封鎖材料１と称される。
【００２０】
本明細書で使用するとき、（ｉ．）銅又は銅合金、（ｉｉ．）活性アルミナ、（ｉｉｉ．）銅、銀、鉛、又はこれらの組み合わせを含むゼオライトモレキュラーシーブ、（ｉｖ．）陰イオン交換樹脂、及び（ｖ．）水分除去モレキュラーシーブ、のうちの２つ以上を含む封鎖材料は、本明細書において、封鎖材料２と称される。
【００２１】
本明細書で使用するとき、（ｉ．）銅又は銅合金、（ｉｉ．）活性アルミナ、（ｉｉｉ．）銅、銀、鉛、又はこれらの組み合わせを含むゼオライトモレキュラーシーブ、（ｉｖ．）陰イオン交換樹脂、及び（ｖ．）水分除去材料、の各々を含む封鎖材料は、本明細書において、封鎖材料３と称される。
【００２２】
本明細書で使用するとき、（ｉ．）銅又は銅合金、（ｉｉ．）活性アルミナ、（ｉｉｉ．）銅、銀、鉛、又はこれらの組み合わせを含むゼオライトモレキュラーシーブ、（ｉｖ．）陰イオン交換樹脂、及び（ｖ．）水分除去モレキュラーシーブ、のうちの２つ以上を含む封鎖材料は、本明細書において、封鎖材料４と称される。
【００２３】
本発明は、冷媒が冷媒２であり、かつ封鎖材料が封鎖材料１である、熱伝達方法１を含む熱伝達方法を含む。
【００２４】
本発明は、冷媒が冷媒２であり、かつ封鎖材料が封鎖材料２である、熱伝達方法１を含む熱伝達方法を含む。
【００２５】
本発明は、冷媒が冷媒２であり、かつ封鎖材料が封鎖材料３である、熱伝達方法１を含む熱伝達方法を含む。
【００２６】
本発明は、冷媒が冷媒２であり、かつ封鎖材料が封鎖材料４である、熱伝達方法１を含む熱伝達方法を含む。
【００２７】
本発明は、冷媒が冷媒３であり、かつ封鎖材料が封鎖材料１である、熱伝達方法１を含む熱伝達方法を含む。
【００２８】
本発明は、冷媒が冷媒３であり、かつ封鎖材料が封鎖材料２である、熱伝達方法１を含む熱伝達方法を含む。
【００２９】
本発明は、冷媒が冷媒３であり、かつ封鎖材料が封鎖材料３である、熱伝達方法１を含む熱伝達方法を含む。
【００３０】
本発明は、冷媒が冷媒３であり、かつ封鎖材料が封鎖材料４である、熱伝達方法１を含む熱伝達方法を含む。
【００３１】
本発明は、冷媒が冷媒４であり、かつ封鎖材料が封鎖材料１である、熱伝達方法１を含む熱伝達方法を含む。
【００３２】
本発明は、冷媒が冷媒４であり、かつ封鎖材料が封鎖材料２である、熱伝達方法１を含む熱伝達方法を含む。
【００３３】
本発明は、冷媒が冷媒４であり、かつ封鎖材料が封鎖材料３である、熱伝達方法１を含む熱伝達方法を含む。
【００３４】
本発明は、冷媒が冷媒４であり、かつ封鎖材料が封鎖材料４である、熱伝達方法１を含む熱伝達方法を含む。
【００３５】
本発明は、冷媒が冷媒５であり、かつ封鎖材料が封鎖材料１である、熱伝達方法１を含む熱伝達方法を含む。
【００３６】
本発明は、冷媒が冷媒５であり、かつ封鎖材料が封鎖材料２である、熱伝達方法１を含む熱伝達方法を含む。
【００３７】
本発明は、冷媒が冷媒５であり、かつ封鎖材料が封鎖材料３である、熱伝達方法１を含む熱伝達方法を含む。
【００３８】
本発明は、冷媒が冷媒５であり、かつ封鎖材料が封鎖材料４である、熱伝達方法１を含む熱伝達方法を含む。
【００３９】
本発明は、冷媒が冷媒６であり、かつ封鎖材料が封鎖材料１である、熱伝達方法１を含む熱伝達方法を含む。
【００４０】
本発明は、冷媒が冷媒６であり、かつ封鎖材料が封鎖材料２である、熱伝達方法１を含む熱伝達方法を含む。
【００４１】
本発明は、冷媒が冷媒６であり、かつ封鎖材料が封鎖材料３である、熱伝達方法１を含む熱伝達方法を含む。
【００４２】
本発明は、冷媒が冷媒６であり、かつ封鎖材料が封鎖材料４である、熱伝達方法１を含む熱伝達方法を含む。
【００４３】
本発明は、冷媒が冷媒７であり、かつ封鎖材料が封鎖材料１である、熱伝達方法１を含む熱伝達方法を含む。
【００４４】
本発明は、冷媒が冷媒７であり、かつ封鎖材料が封鎖材料２である、熱伝達方法１を含む熱伝達方法を含む。
【００４５】
本発明は、冷媒が冷媒７であり、かつ封鎖材料が封鎖材料３である、熱伝達方法１を含む熱伝達方法を含む。
【００４６】
本発明は、冷媒が冷媒７であり、かつ封鎖材料が封鎖材料４である、熱伝達方法１を含む熱伝達方法を含む。
【００４７】
本発明は、冷媒が冷媒８であり、かつ封鎖材料が封鎖材料１である、熱伝達方法１を含む熱伝達方法を含む。
【００４８】
本発明は、冷媒が冷媒８であり、かつ封鎖材料が封鎖材料２である、熱伝達方法１を含む熱伝達方法を含む。
【００４９】
本発明は、冷媒が冷媒８であり、かつ封鎖材料が封鎖材料３である、熱伝達方法１を含む熱伝達方法を含む。
【００５０】
本発明は、冷媒が冷媒８であり、かつ封鎖材料が封鎖材料４である、熱伝達方法１を含む熱伝達方法を含む。
【００５１】
当該曝露温度が約２０℃超である、前述の段落の各々による熱伝達方法１。
【００５２】
当該曝露温度が約３０℃超である、前述の段落の各々による熱伝達方法１。
【００５３】
好ましい実施形態では、水分除去材料、及び好ましくは水分除去モレキュラーシーブが、他の封鎖材料の各々の下流の地点において冷媒の流れの中にあることが好ましい。この好ましい配設は、特にモレキュラーシーブを含む別個の水分除去材料を、一方の封鎖材料の冷媒の下流であるが、他方の封鎖材料の上流の地点に配置することによって、又は特にモレキュラーシーブを含む水分除去材料を、全ての他の封鎖材料の下流に配置することによって、達成され得る。
【００５４】
本発明の他の態様において、封鎖材料１は、少なくとも２種の材料の各々がフィルタ要素内に一緒に含まれるように構成される。本明細書で使用されるとき、「フィルタ要素」という用語は、封鎖材料の各々が物理的に極めて接近して、好ましくはシステム内の本質的に同じ場所に位置する、任意のデバイス、システム、物品、又は容器を指す。
【００５５】
本発明の他の態様において、封鎖材料１は、少なくとも２種の材料の各々が中実コア内に一緒に含まれるように構成される。本明細書で使用されるとき、「中実コア」という用語は、かかる材料が当該中実コアを通過する流体にアクセス可能であるように、封鎖材料のうちの２種以上をその中に含有した及び／又は組み込んだ、比較的多孔質の固体を指す。好ましい実施形態において、１種以上の封鎖材料は、中実コアの全体を通して実質的に均一に分配される。
【００５６】
好ましい実施形態において、本発明の中実コアは、フィルタ要素内に含まれるか、又はそれを備える。
【００５７】
本発明の他の態様において、封鎖材料１は、少なくとも２種の材料の各々が中実コア内に含まれるように構成される。
【００５８】
本発明の他の態様において、封鎖材料２は、少なくとも２種の材料の各々がフィルタ要素内に一緒に含まれるように構成される。
【００５９】
本発明の他の態様において、封鎖材料２は、材料の全てが中実コア内に含まれるように構成される。
【００６０】
本発明の他の態様において、封鎖材料３は、少なくとも２種の材料の各々がフィルタ要素内に一緒に含まれるように構成される。
【００６１】
本発明の他の態様において、封鎖材料３は、材料の全てが中実コア内に含まれるように構成される。
【００６２】
本発明の他の態様において、封鎖材料４は、少なくとも２種の材料の各々がフィルタ要素内に一緒に含まれるように構成される。
【００６３】
本発明の他の態様において、封鎖材料４は、材料の全てが中実コア内に含まれるように構成される。
【００６４】
本発明は、冷媒が冷媒１であり、かつ封鎖材料がフィルタ要素内及び／又は中実コア内に位置する封鎖材料１である、熱伝達方法１による熱伝達方法を含む。
【００６５】
本発明は、冷媒が冷媒１であり、かつ封鎖材料がフィルタ要素内及び／又は中実コア内に位置する封鎖材料２である、熱伝達方法１による熱伝達方法を含む。
【００６６】
本発明は、冷媒が冷媒１であり、かつ封鎖材料がフィルタ要素内及び／又は中実コア内に位置する封鎖材料３である、熱伝達方法１による熱伝達方法を含む。
【００６７】
本発明は、冷媒が冷媒１であり、かつ封鎖材料がフィルタ要素内及び／又は中実コア内に位置する封鎖材料４である、熱伝達方法１による熱伝達方法を含む。
【００６８】
本発明は、冷媒が冷媒２であり、かつ封鎖材料がフィルタ要素内及び／又は中実コア内に位置する封鎖材料１である、熱伝達方法１による熱伝達方法を含む。
【００６９】
本発明は、冷媒が冷媒２であり、かつ封鎖材料がフィルタ要素内及び／又は中実コア内に位置する封鎖材料２である、熱伝達方法１による熱伝達方法を含む。
【００７０】
本発明は、冷媒が冷媒２であり、かつ封鎖材料がフィルタ要素内及び／又は中実コア内に位置する封鎖材料３である、熱伝達方法１による熱伝達方法を含む。
【００７１】
本発明は、冷媒が冷媒２であり、かつ封鎖材料がフィルタ要素内及び／又は中実コア内に位置する封鎖材料４である、熱伝達方法１による熱伝達方法を含む。
【００７２】
本発明は、冷媒が冷媒３であり、かつ封鎖材料がフィルタ要素内及び／又は中実コア内に位置する封鎖材料１である、熱伝達方法１による熱伝達方法を含む。
【００７３】
本発明は、冷媒が冷媒３であり、かつ封鎖材料がフィルタ要素内及び／又は中実コア内に位置する封鎖材料２である、熱伝達方法１による熱伝達方法を含む。
【００７４】
本発明は、冷媒が冷媒３であり、かつ封鎖材料がフィルタ要素内及び／又は中実コア内に位置する封鎖材料３である、熱伝達方法１による熱伝達方法を含む。
【００７５】
本発明は、冷媒が冷媒３であり、かつ封鎖材料がフィルタ要素内及び／又は中実コア内に位置する封鎖材料４である、熱伝達方法１による熱伝達方法を含む。
【００７６】
本発明は、冷媒が冷媒４であり、かつ封鎖材料がフィルタ要素内及び／又は中実コア内に位置する封鎖材料１である、熱伝達方法１による熱伝達方法を含む。
【００７７】
本発明は、冷媒が冷媒４であり、かつ封鎖材料がフィルタ要素内及び／又は中実コア内に位置する封鎖材料２である、熱伝達方法１による熱伝達方法を含む。
【００７８】
本発明は、冷媒が冷媒４であり、かつ封鎖材料がフィルタ要素内及び／又は中実コア内に位置する封鎖材料３である、熱伝達方法１による熱伝達方法を含む。
【００７９】
本発明は、冷媒が冷媒４であり、かつ封鎖材料がフィルタ要素内及び／又は中実コア内に位置する封鎖材料４である、熱伝達方法１による熱伝達方法を含む。
【００８０】
本発明は、冷媒が冷媒５であり、かつ封鎖材料がフィルタ要素内及び／又は中実コア内に位置する封鎖材料１である、熱伝達方法１による熱伝達方法を含む。
【００８１】
本発明は、冷媒が冷媒５であり、かつ封鎖材料がフィルタ要素内及び／又は中実コア内に位置する封鎖材料２である、熱伝達方法１による熱伝達方法を含む。
【００８２】
本発明は、冷媒が冷媒５であり、かつ封鎖材料がフィルタ要素内及び／又は中実コア内に位置する封鎖材料３である、熱伝達方法１による熱伝達方法を含む。
【００８３】
本発明は、冷媒が冷媒５であり、かつ封鎖材料がフィルタ要素内及び／又は中実コア内に位置する封鎖材料４である、熱伝達方法１による熱伝達方法を含む。
【００８４】
本発明は、冷媒が冷媒６であり、かつ封鎖材料がフィルタ要素内及び／又は中実コア内に位置する封鎖材料１である、熱伝達方法１による熱伝達方法を含む。
【００８５】
本発明は、冷媒が冷媒６であり、かつ封鎖材料がフィルタ要素内及び／又は中実コア内に位置する封鎖材料２である、熱伝達方法１による熱伝達方法を含む。
【００８６】
本発明は、冷媒が冷媒６であり、かつ封鎖材料がフィルタ要素内及び／又は中実コア内に位置する封鎖材料３である、熱伝達方法１による熱伝達方法を含む。
【００８７】
本発明は、冷媒が冷媒６であり、かつ封鎖材料がフィルタ要素内及び／又は中実コア内に位置する封鎖材料４である、熱伝達方法１による熱伝達方法を含む。
【００８８】
本発明は、冷媒が冷媒７であり、かつ封鎖材料がフィルタ要素内及び／又は中実コア内に位置する封鎖材料１である、熱伝達方法１による熱伝達方法を含む。
【００８９】
本発明は、冷媒が冷媒７であり、かつ封鎖材料がフィルタ要素内及び／又は中実コア内に位置する封鎖材料２である、熱伝達方法１による熱伝達方法を含む。
【００９０】
本発明は、冷媒が冷媒７であり、かつ封鎖材料がフィルタ要素内及び／又は中実コア内に位置する封鎖材料３である、熱伝達方法１による熱伝達方法を含む。
【００９１】
本発明は、冷媒が冷媒７であり、かつ封鎖材料がフィルタ要素内及び／又は中実コア内に位置する封鎖材料４である、熱伝達方法１による熱伝達方法を含む。
【００９２】
本発明は、冷媒が冷媒８であり、かつ封鎖材料がフィルタ要素内及び／又は中実コア内に位置する封鎖材料１である、熱伝達方法１による熱伝達方法を含む。
【００９３】
本発明は、冷媒が冷媒８であり、かつ封鎖材料がフィルタ要素内及び／又は中実コア内に位置する封鎖材料２である、熱伝達方法１による熱伝達方法を含む。
【００９４】
本発明は、冷媒が冷媒８であり、かつ封鎖材料がフィルタ要素内及び／又は中実コア内に位置する封鎖材料３である、熱伝達方法１による熱伝達方法を含む。
【００９５】
本発明は、冷媒が冷媒８であり、かつ封鎖材料がフィルタ要素内及び／又は中実コア内に位置する封鎖材料４である、熱伝達方法１による熱伝達方法を含む。
【００９６】
本発明はまた、複数の繰り返しサイクルにおいて、冷媒液体を蒸発させることと、冷媒蒸気を凝縮することと、を含む種類の、熱を伝達するための方法も含み、当該方法は、
（ａ）冷媒１を提供することと、
（ｂ）当該複数の当該繰り返しサイクルの少なくとも一部分において、冷媒１の少なくとも一部分をフィルタ要素内又は中実コア内の封鎖材料１に曝露することと、を含む。
【００９７】
本発明はまた、複数の繰り返しサイクルにおいて、冷媒液体を蒸発させることと、冷媒蒸気を凝縮することと、を含む種類の、熱を伝達するための方法も含み、当該方法は、
（ａ）冷媒を提供することと、
（ｂ）当該複数の当該繰り返しサイクルの少なくとも一部分において、冷媒の少なくとも一部分を本発明の封鎖材料に曝露することと、を含む。便宜上、本段落による方法は、本明細書では、熱伝達方法２と称される。
【００９８】
本発明は、冷媒が冷媒１であり、かつ封鎖材料がフィルタ要素内及び／又は中実コア内に位置する封鎖材料１である、熱伝達方法２による熱伝達方法を含む。
【００９９】
本発明は、冷媒が冷媒１であり、かつ封鎖材料がフィルタ要素内及び／又は中実コア内に位置する封鎖材料２である、熱伝達方法２による熱伝達方法を含む。
【０１００】
本発明は、冷媒が冷媒１であり、かつ封鎖材料がフィルタ要素内及び／又は中実コア内に位置する封鎖材料３である、熱伝達方法２による熱伝達方法を含む。
【０１０１】
本発明は、冷媒が冷媒１であり、かつ封鎖材料がフィルタ要素内及び／又は中実コア内に位置する封鎖材料４である、熱伝達方法２による熱伝達方法を含む。
【０１０２】
本発明は、冷媒が冷媒２であり、かつ封鎖材料がフィルタ要素内及び／又は中実コア内に位置する封鎖材料１である、熱伝達方法２による熱伝達方法を含む。
【０１０３】
本発明は、冷媒が冷媒２であり、かつ封鎖材料がフィルタ要素内及び／又は中実コア内に位置する封鎖材料２である、熱伝達方法２による熱伝達方法を含む。
【０１０４】
本発明は、冷媒が冷媒２であり、かつ封鎖材料がフィルタ要素内及び／又は中実コア内に位置する封鎖材料３である、熱伝達方法２による熱伝達方法を含む。
【０１０５】
本発明は、冷媒が冷媒２であり、かつ封鎖材料がフィルタ要素内及び／又は中実コア内に位置する封鎖材料４である、熱伝達方法２による熱伝達方法を含む。
【０１０６】
本発明は、冷媒が冷媒３であり、かつ封鎖材料がフィルタ要素内及び／又は中実コア内に位置する封鎖材料１である、熱伝達方法２による熱伝達方法を含む。
【０１０７】
本発明は、冷媒が冷媒３であり、かつ封鎖材料がフィルタ要素内及び／又は中実コア内に位置する封鎖材料２である、熱伝達方法２による熱伝達方法を含む。
【０１０８】
本発明は、冷媒が冷媒３であり、かつ封鎖材料がフィルタ要素内及び／又は中実コア内に位置する封鎖材料３である、熱伝達方法２による熱伝達方法を含む。
【０１０９】
本発明は、冷媒が冷媒３であり、かつ封鎖材料がフィルタ要素内及び／又は中実コア内に位置する封鎖材料４である、熱伝達方法２による熱伝達方法を含む。
【０１１０】
本発明は、冷媒が冷媒４であり、かつ封鎖材料がフィルタ要素内及び／又は中実コア内に位置する封鎖材料１である、熱伝達方法２による熱伝達方法を含む。
【０１１１】
本発明は、冷媒が冷媒４であり、かつ封鎖材料がフィルタ要素内及び／又は中実コア内に位置する封鎖材料２である、熱伝達方法２による熱伝達方法を含む。
【０１１２】
本発明は、冷媒が冷媒４であり、かつ封鎖材料がフィルタ要素内及び／又は中実コア内に位置する封鎖材料３である、熱伝達方法２による熱伝達方法を含む。
【０１１３】
本発明は、冷媒が冷媒４であり、かつ封鎖材料がフィルタ要素内及び／又は中実コア内に位置する封鎖材料４である、熱伝達方法２による熱伝達方法を含む。
【０１１４】
本発明は、冷媒が冷媒５であり、かつ封鎖材料がフィルタ要素内及び／又は中実コア内に位置する封鎖材料１である、熱伝達方法２による熱伝達方法を含む。
【０１１５】
本発明は、冷媒が冷媒５であり、かつ封鎖材料がフィルタ要素内及び／又は中実コア内に位置する封鎖材料２である、熱伝達方法２による熱伝達方法を含む。
【０１１６】
本発明は、冷媒が冷媒５であり、かつ封鎖材料がフィルタ要素内及び／又は中実コア内に位置する封鎖材料３である、熱伝達方法２による熱伝達方法を含む。
【０１１７】
本発明は、冷媒が冷媒５であり、かつ封鎖材料がフィルタ要素内及び／又は中実コア内に位置する封鎖材料４である、熱伝達方法２による熱伝達方法を含む。
【０１１８】
本発明は、冷媒が冷媒６であり、かつ封鎖材料がフィルタ要素内及び／又は中実コア内に位置する封鎖材料１である、熱伝達方法２による熱伝達方法を含む。
【０１１９】
本発明は、冷媒が冷媒６であり、かつ封鎖材料がフィルタ要素内及び／又は中実コア内に位置する封鎖材料２である、熱伝達方法２による熱伝達方法を含む。
【０１２０】
本発明は、冷媒が冷媒６であり、かつ封鎖材料がフィルタ要素内及び／又は中実コア内に位置する封鎖材料３である、熱伝達方法２による熱伝達方法を含む。
【０１２１】
本発明は、冷媒が冷媒６であり、かつ封鎖材料がフィルタ要素内及び／又は中実コア内に位置する封鎖材料４である、熱伝達方法２による熱伝達方法を含む。
【０１２２】
本発明は、冷媒が冷媒７であり、かつ封鎖材料がフィルタ要素内及び／又は中実コア内に位置する封鎖材料１である、熱伝達方法２による熱伝達方法を含む。
【０１２３】
本発明は、冷媒が冷媒７であり、かつ封鎖材料がフィルタ要素内及び／又は中実コア内に位置する封鎖材料２である、熱伝達方法２による熱伝達方法を含む。
【０１２４】
本発明は、冷媒が冷媒７であり、かつ封鎖材料がフィルタ要素内及び／又は中実コア内に位置する封鎖材料３である、熱伝達方法２による熱伝達方法を含む。
【０１２５】
本発明は、冷媒が冷媒７であり、かつ封鎖材料がフィルタ要素内及び／又は中実コア内に位置する封鎖材料４である、熱伝達方法２による熱伝達方法を含む。
【０１２６】
本発明は、冷媒が冷媒８であり、かつ封鎖材料がフィルタ要素内及び／又は中実コア内に位置する封鎖材料１である、熱伝達方法２による熱伝達方法を含む。
【０１２７】
本発明は、冷媒が冷媒８であり、かつ封鎖材料がフィルタ要素内及び／又は中実コア内に位置する封鎖材料２である、熱伝達方法２による熱伝達方法を含む。
【０１２８】
本発明は、冷媒が冷媒８であり、かつ封鎖材料がフィルタ要素内及び／又は中実コア内に位置する封鎖材料３である、熱伝達方法２による熱伝達方法を含む。
【０１２９】
本発明は、冷媒が冷媒８であり、かつ封鎖材料がフィルタ要素内及び／又は中実コア内に位置する封鎖材料４である、熱伝達方法２による熱伝達方法を含む。
【０１３０】
本発明は、冷凍システムを含み、この冷凍システムは、
（ａ）当該システム内を循環する本発明の冷媒と、
（ｂ）当該冷媒及び／又は当該潤滑剤のうちの少なくとも一部分と接触する封鎖材料と、を含む。本段落による冷媒システムは、本明細書では、冷媒システム１と称される。
【０１３１】
本発明は、冷媒が冷媒１であり、かつ封鎖材料が封鎖材料１である、冷媒システム１を含む。
【０１３２】
本発明は、冷媒が冷媒１であり、かつ封鎖材料が封鎖材料２である、冷媒システム１を含む。
【０１３３】
本発明は、冷媒が冷媒１であり、かつ封鎖材料が封鎖材料３である、冷媒システム１を含む。
【０１３４】
本発明は、冷媒が冷媒１であり、かつ封鎖材料が封鎖材料４である、冷媒システム１を含む。
【０１３５】
本発明は、冷媒が冷媒２であり、かつ封鎖材料が封鎖材料１である、冷媒システム１を含む。
【０１３６】
本発明は、冷媒が冷媒２であり、かつ封鎖材料が封鎖材料２である、冷媒システム１を含む。
【０１３７】
本発明は、冷媒が冷媒２であり、かつ封鎖材料が封鎖材料３である、冷媒システム１を含む。
【０１３８】
本発明は、冷媒が冷媒２であり、かつ封鎖材料が封鎖材料４である、冷媒システム１を含む。
【０１３９】
本発明は、冷媒が冷媒３であり、かつ封鎖材料が封鎖材料１である、冷媒システム１を含む。
【０１４０】
本発明は、冷媒が冷媒３であり、かつ封鎖材料が封鎖材料２である、冷媒システム１を含む。
【０１４１】
本発明は、冷媒が冷媒３であり、かつ封鎖材料が封鎖材料３である、冷媒システム１を含む。
【０１４２】
本発明は、冷媒が冷媒３であり、かつ封鎖材料が封鎖材料４である、冷媒システム１を含む。
【０１４３】
本発明は、冷媒が冷媒４であり、かつ封鎖材料が封鎖材料１である、冷媒システム１を含む。
【０１４４】
本発明は、冷媒が冷媒４であり、かつ封鎖材料が封鎖材料２である、冷媒システム１を含む。
【０１４５】
本発明は、冷媒が冷媒４であり、かつ封鎖材料が封鎖材料３である、冷媒システム１を含む。
【０１４６】
本発明は、冷媒が冷媒４であり、かつ封鎖材料が封鎖材料４である、冷媒システム１を含む。
【０１４７】
本発明は、冷媒が冷媒５であり、かつ封鎖材料が封鎖材料１である、冷媒システム１を含む。
【０１４８】
本発明は、冷媒が冷媒５であり、かつ封鎖材料が封鎖材料２である、冷媒システム１を含む。
【０１４９】
本発明は、冷媒が冷媒５であり、かつ封鎖材料が封鎖材料３である、冷媒システム１を含む。
【０１５０】
本発明は、冷媒が冷媒５であり、かつ封鎖材料が封鎖材料４である、冷媒システム１を含む。
【０１５１】
本発明は、冷媒が冷媒６であり、かつ封鎖材料が封鎖材料１である、冷媒システム１を含む。
【０１５２】
本発明は、冷媒が冷媒６であり、かつ封鎖材料が封鎖材料２である、冷媒システム１を含む。
【０１５３】
本発明は、冷媒が冷媒６であり、かつ封鎖材料が封鎖材料３である、冷媒システム１を含む。
【０１５４】
本発明は、冷媒が冷媒６であり、かつ封鎖材料が封鎖材料４である、冷媒システム１を含む。
【０１５５】
本発明は、冷媒が冷媒７であり、かつ封鎖材料が封鎖材料１である、冷媒システム１を含む。
【０１５６】
本発明は、冷媒が冷媒７であり、かつ封鎖材料が封鎖材料２である、冷媒システム１を含む。
【０１５７】
本発明は、冷媒が冷媒７であり、かつ封鎖材料が封鎖材料３である、冷媒システム１を含む。
【０１５８】
本発明は、冷媒が冷媒７であり、かつ封鎖材料が封鎖材料４である、冷媒システム１を含む。
【０１５９】
本発明は、冷媒が冷媒８であり、かつ封鎖材料が封鎖材料１である、冷媒システム１を含む。
【０１６０】
本発明は、冷媒が冷媒８であり、かつ封鎖材料が封鎖材料２である、冷媒システム１を含む。
【０１６１】
本発明は、冷媒が冷媒８であり、かつ封鎖材料が封鎖材料３である、冷媒システム１を含む。
【０１６２】
本発明は、冷媒が冷媒８であり、かつ封鎖材料が封鎖材料４である、冷媒システム１を含む。
【０１６３】
本発明はまた、設置されて少なくとも約１年にわたって動作している熱伝達システム内を循環する熱伝達組成物を含む熱伝達冷凍システムも含み、当該熱伝達組成物は、本発明による潤滑剤及び冷媒を含み、当該システムは、本発明の封鎖材料を含み、かつ冷媒及び／又は潤滑剤が、冷媒の重量に基づいて約１１００ｐｐｍ以下の、及び／又は潤滑剤の重量に基づいて約１１００ｐｐｍのヨウ化物含量を有する。本段落による熱伝達組成物は、本明細書では、熱伝達システム１と称される。
【０１６４】
本明細書で使用するとき、「設置された、及び動作している」という用語は、本発明に従って設置又は修正された新しい設置物及び改装した設置物であり、通常動作していることを指す。本明細書で使用するとき、「通常動作」という用語は、保守及び／又は修理のためにシステムを正常にシャットダウンする期間、及びシステムが通常動作していないが、運転中である他の期間を含む。
【０１６５】
本発明は、冷媒が冷媒１であり、潤滑剤がＰＯＥを含み、かつ封鎖材料が封鎖材料１である、熱伝達システム１を含む。
【０１６６】
本発明は、冷媒が冷媒１であり、潤滑剤がＰＯＥを含み、かつ封鎖材料が封鎖材料２である、熱伝達システム１を含む。
【０１６７】
本発明は、冷媒が冷媒１であり、潤滑剤がＰＯＥを含み、かつ封鎖材料が封鎖材料３である、熱伝達システム１を含む。
【０１６８】
本発明は、冷媒が冷媒１であり、潤滑剤がＰＯＥを含み、かつ封鎖材料が封鎖材料４である、熱伝達システム１を含む。
【０１６９】
本発明は、冷媒が冷媒２であり、潤滑剤がＰＯＥを含み、かつ封鎖材料が封鎖材料１である、熱伝達システム１を含む。
【０１７０】
本発明は、冷媒が冷媒２であり、潤滑剤がＰＯＥを含み、かつ封鎖材料が封鎖材料２である、熱伝達システム１を含む。
【０１７１】
本発明は、冷媒が冷媒２であり、潤滑剤がＰＯＥを含み、かつ封鎖材料が封鎖材料３である、熱伝達システム１を含む。
【０１７２】
本発明は、冷媒が冷媒２であり、潤滑剤がＰＯＥを含み、かつ封鎖材料が封鎖材料４である、熱伝達システム１を含む。
【０１７３】
本発明は、冷媒が冷媒３であり、潤滑剤がＰＯＥを含み、かつ封鎖材料が封鎖材料１である、熱伝達システム１を含む。
【０１７４】
本発明は、冷媒が冷媒３であり、潤滑剤がＰＯＥを含み、かつ封鎖材料が封鎖材料２である、熱伝達システム１を含む。
【０１７５】
本発明は、冷媒が冷媒３であり、潤滑剤がＰＯＥを含み、かつ封鎖材料が封鎖材料３である、熱伝達システム１を含む。
【０１７６】
本発明は、冷媒が冷媒３であり、潤滑剤がＰＯＥを含み、かつ封鎖材料が封鎖材料４である、熱伝達システム１を含む。
【０１７７】
本発明は、冷媒が冷媒４であり、潤滑剤がＰＯＥを含み、かつ封鎖材料が封鎖材料１である、熱伝達システム１を含む。
【０１７８】
本発明は、冷媒が冷媒４であり、潤滑剤がＰＯＥを含み、かつ封鎖材料が封鎖材料２である、熱伝達システム１を含む。
【０１７９】
本発明は、冷媒が冷媒４であり、潤滑剤がＰＯＥを含み、かつ封鎖材料が封鎖材料３である、熱伝達システム１を含む。
【０１８０】
本発明は、冷媒が冷媒４であり、潤滑剤がＰＯＥを含み、かつ封鎖材料が封鎖材料４である、熱伝達システム１を含む。
【０１８１】
本発明は、冷媒が冷媒５であり、潤滑剤がＰＯＥを含み、かつ封鎖材料が封鎖材料１である、熱伝達システム１を含む。
【０１８２】
本発明は、冷媒が冷媒５であり、潤滑剤がＰＯＥを含み、かつ封鎖材料が封鎖材料２である、熱伝達システム１を含む。
【０１８３】
本発明は、冷媒が冷媒５であり、潤滑剤がＰＯＥを含み、かつ封鎖材料が封鎖材料３である、熱伝達システム１を含む。
【０１８４】
本発明は、冷媒が冷媒５であり、潤滑剤がＰＯＥを含み、かつ封鎖材料が封鎖材料４である、熱伝達システム１を含む。
【０１８５】
本発明は、冷媒が冷媒６であり、潤滑剤がＰＯＥを含み、かつ封鎖材料が封鎖材料１である、熱伝達システム１を含む。
【０１８６】
本発明は、冷媒が冷媒６であり、潤滑剤がＰＯＥを含み、かつ封鎖材料が封鎖材料２である、熱伝達システム１を含む。
【０１８７】
本発明は、冷媒が冷媒６であり、潤滑剤がＰＯＥを含み、かつ封鎖材料が封鎖材料３である、熱伝達システム１を含む。
【０１８８】
本発明は、冷媒が冷媒６であり、潤滑剤がＰＯＥを含み、かつ封鎖材料が封鎖材料４である、熱伝達システム１を含む。
【０１８９】
本発明は、冷媒が冷媒７であり、潤滑剤がＰＯＥを含み、かつ封鎖材料が封鎖材料１である、熱伝達システム１を含む。
【０１９０】
本発明は、冷媒が冷媒７であり、潤滑剤がＰＯＥを含み、かつ封鎖材料が封鎖材料２である、熱伝達システム１を含む。
【０１９１】
本発明は、冷媒が冷媒７であり、潤滑剤がＰＯＥを含み、かつ封鎖材料が封鎖材料３である、熱伝達システム１を含む。
【０１９２】
本発明は、冷媒が冷媒７であり、潤滑剤がＰＯＥを含み、かつ封鎖材料が封鎖材料４である、熱伝達システム１を含む。
【０１９３】
本発明は、冷媒が冷媒８であり、潤滑剤がＰＯＥを含み、かつ封鎖材料が封鎖材料１である、熱伝達システム１を含む。
【０１９４】
本発明は、冷媒が冷媒８であり、潤滑剤がＰＯＥを含み、かつ封鎖材料が封鎖材料２である、熱伝達システム１を含む。
【０１９５】
本発明は、冷媒が冷媒８であり、潤滑剤がＰＯＥを含み、かつ封鎖材料が封鎖材料３である、熱伝達システム１を含む。
【０１９６】
本発明は、冷媒が冷媒８であり、潤滑剤がＰＯＥを含み、かつ封鎖材料が封鎖材料４である、熱伝達システム１を含む。
【０１９７】
設置されて少なくとも約２年にわたって動作している、前述の段落の各々による熱伝達システム１。
【０１９８】
設置されて少なくとも約５年にわたって動作している、前述の段落の各々による熱伝達システム１。
【０１９９】
冷媒及び／又は潤滑剤が、冷媒の重量に基づいて約５００ｐｐｍ以下の、及び／又は潤滑剤の重量に基づいて５００ｐｐｍのフッ化物内容物を有する、前述の段落の各々による熱伝達システム１。
【０２００】
本発明の好適な熱伝達組成物は、好ましくは不燃性である。本明細書で使用するとき、「不燃性」という用語は、ＡＳＨＲＡＥ  Ｓｔａｎｄａｒｄ  ３４−２０１３に記載され、かつＡＳＨＲＡＥ  Ｓｔａｎｄａｒｄ  ３４−２０１３の付録Ｂ１に記載された条件でＡＳＴＭ  ｓｔａｎｄａｒｄ  Ｅ−６８１−２００１に従って不燃性であると判定された化合物又は組成物を指す。
【発明を実施するための形態】
【０２０１】
方法
上で述べたように、本発明は、複数の繰り返しサイクルにおいて、冷媒液体を蒸発させることと、冷媒蒸気を凝縮することと、を含む、熱を伝達するための方法を含む。したがって、本発明の方法態様は、蒸気圧縮冷凍、吸収冷凍、ランキンサイクル、及びヒートパイプを含む、任意の及び全てのかかる方法を広く包含する。これらの方法の各々において、冷媒は、サイクルを通して進行するか、又は輸送され、このサイクルは、冷媒が、様々な温度、圧力、構築材料、及び例えば潤滑圧縮機を含む圧縮冷凍システムの場合における潤滑剤などの熱伝達組成物の他の成分に曝露されることを含む。かかる状態への曝露の結果、少なくとも５重量％の低級アルキルヨードフルオロカーボン及び好ましくはＣＦ３Ｉを含む本発明の冷媒は、ヨウ化物（Ｉ−）、ヨウ素（Ｉ２）、及びフッ化物（Ｆ−）などの分解生成物を生成する傾向があり、これらは、熱伝達システムの信頼性及び／又はシステム内に存在する任意の潤滑剤の安定性に負の影響を及ぼし得る。
【０２０２】
したがって、本方法の好ましい実施形態は、冷媒の少なくとも一部分、好ましくは冷媒の実質的に全て、更に好ましくはシステム内を循環する冷媒の全て、なお更に好ましくはシステム内を循環する熱伝達組成物の実質的に全てを、本発明の封鎖材料に曝露する工程を含む。出願人らは、少なくとも約１０℃、より好ましくは少なくとも約２０℃、又は好ましくは少なくとも約３０℃の曝露温度を有するように当該曝露工程を実行することによって、かかる方法において予想外の利点を達成することができることを見出した。曝露工程は、冷媒の温度が約１０℃、２０℃、若しくは３０℃であること、又は封鎖材料の温度が約１０℃、２０℃、若しくは３０℃であることを含み得ることが想到されるが、一般に、冷媒及び封鎖材料の両方が、所与の曝露工程にわたって冷媒が封鎖材料と接触している時間の少なくともかなりの部分の間、好ましくはその時間の実質的に全ての間、少なくとも約１０℃、２０℃、又は３０℃の温度であることが好ましい。
【０２０３】
本方法の好ましい実施形態はまた、少なくとも、ｉ．活性アルミナ、ｉｉ．銅、銀、鉛、又はこれらの組み合わせを含むゼオライトモレキュラーシーブ、ｉｉｉ．陰イオン交換樹脂、及びｉｖ．水分除去材料、好ましくは水分除去モレキュラーシーブ、の組み合わせを含む封鎖材料を含む。出願人らは、曝露温度が約１０℃、２０℃、又は３０℃未満である場合であっても、この組み合わせが予想外の利点を生じることを見出した。
【０２０４】
本発明の好ましい実施形態において、熱伝達方法は、冷媒流体のストリーム若しくは流れ若しくは本体を生じさせること、及び／又は冷媒流体のストリーム若しくは流れ若しくは本体を生じさせること含み、本発明の曝露工程は、当該ストリーム又は流れ又は本体内の１つ以上に位置するか好ましい実施形態において、冷媒及び／又は潤滑剤が封鎖材料の上を流れる、上を流れる、それを通る、又は別様にそれと密着状態するように、ある量又は容量の、好ましくは一定容量の本発明の封鎖材料を含む。特定の好ましいかかる実施形態において、封鎖材料が位置するストリーム又は流れは、冷凍サイクルの一部であるストリーム又は流れを含む。例えば、本明細書の他の場所でより十分に説明されるように、曝露工程は、一定容量の封鎖材料を蒸気圧縮システムの圧縮機吐出ストリーム内に配置することを含み得、好ましくは、当該圧縮機の吐出温度は、少なくとも約１０℃、より好ましくは約２０℃、又は好ましくは少なくとも約３０℃である。他の実施形態において、曝露工程は、熱伝達サイクルにおいて循環する冷媒のスリップ又はサイドストリームをとることと、そのスリップ又はサイドストリームを封鎖材料に曝露することと、好ましくは、スリップ又はサイドストリームは、少なくとも約１０℃、より好ましくは２０℃、なお更に好ましくは少なくとも約３０℃であり、次いで、スリップ又はサイドストリームを、それを引き出した場所から下流、それを引き出した場所から上流のいずれかに返すこと、又は一部分の下流に、及び一部分の上流に返すことと、を含むことが想到される。他の又は補足的な実施形態において、スリップ又はサイドストリームは、約１０℃、若しくは約２０℃、若しくは３０℃未満である冷媒ストリームから取り出してもよく、スリップ又はサイドストリームは、約１０℃、若しくは約２０℃、若しくは３０℃超まで加熱し、次いで、封鎖材料に曝露され、及び／又は封鎖材料は、約１０℃、若しくは２０℃、若しくは約３０℃超の温度に維持される。更に他の実施形態において、曝露工程は、冷凍サイクル内又は冷凍サイクルの小部分を循環している冷媒及び／又は潤滑剤のストリーム又は流れの少なくとも一部に、封鎖材料を溶解若しくは懸濁すること、又は封鎖材料を位置させることを含み得る。かかる場合、封鎖材料は、別個の一定容量とすることができ、又は別個の一定容量でなく、代わりに、冷媒と共に、並びに／又は冷媒サイクル及び／若しくは潤滑剤サイクルの少なくとも一部分の間、好ましくは冷媒温度若しくは潤滑剤温度が少なくとも約１０℃、若しくは約２０℃、より好ましくは少なくとも約３０℃であるサイクルの一部分の間に、移動する。
【０２０５】
熱伝達システムが油分離器を含む本発明の実施形態において、封鎖材料の１種以上は、ｉ．活性アルミナ、ｉｉ．銅、銀、鉛、又はこれらの組み合わせを含むゼオライトモレキュラーシーブ、ｉｉｉ．陰イオン交換樹脂、及びｉｖ．水分除去材料、好ましくは水分除去モレキュラーシーブ、を含み、好ましい実施形態において、これらの材料の全ては、本明細書の図５に示されるように、液体潤滑剤が封鎖材料（複数可）に接触するように、油分離器の内部に、又はいくつかの事例においては外部であるが油分離器の下流に、一緒に位置し得る。本発明はまた、凝縮器を出る冷媒液体内に位置している材料の１種以上も含む。
【０２０６】
本発明による冷媒蒸気を圧縮する工程と、その後に、圧縮冷媒ストリームを凝縮する工程と、を含む本発明の方法の場合、封鎖材料の少なくとも一部分、及び好ましい実施形態において、その実質的に全てが、圧縮機吐出冷媒ストリーム内に、すなわち、吐出ライン内に存在し、好ましくは、かかる場所の曝露温度は、約７０℃〜約１４０℃である。他の実施形態では、封鎖材料の少なくとも一部分、及び好ましい実施形態において、その実質的に全てが、凝縮器を出る液体冷媒中に存在し、封鎖材料が曝露される温度は、約１０℃〜約８０℃であり得る。他の実施形態では、封鎖材料の少なくとも一部分、及び好ましい実施形態において、その実質的に全てが、圧縮機の吸引ライン内に存在し、封鎖材料が曝露される温度は、約−３０℃〜約３０℃であり得る。
【０２０７】
したがって、好ましい実施形態において、曝露工程は、約５０℃〜約１４０℃、より好ましくは約７０℃〜約１４０℃の温度で実行される。
【０２０８】
好ましい実施形態において、曝露工程は、約２０℃〜約８０℃、又は約−３０℃〜約２０℃の温度で実行され、かかる実施形態において、封鎖材料は、好ましくは、
ｉ．活性アルミナ、
ｉｉ．銅、銀、鉛、又はこれらの組み合わせを含むゼオライトモレキュラーシーブ、
ｉｉｉ．陰イオン交換樹脂、及び
ｉｖ．水分除去材料、好ましくは水分除去モレキュラーシーブ、の組み合わせを含む。
【０２０９】
本発明の方法態様に従って使用するための好ましい熱伝達組成物及び封鎖材料を下で詳細に説明する。
【０２１０】
封鎖材料
封鎖材料は、ａ）銅又は銅合金、ｂ）銅、銀、鉛、又はこれらの組み合わせを含むモレキュラーシーブ（好ましくはゼオライト）、ｃ）陰イオン交換樹脂、ｄ）水分除去材料、及びｅ）活性アルミナ、又はこれらの材料の任意の２つ以上の組み合わせ、のうちの１つ以上を含み得る。
【０２１１】
ａ．銅／銅合金の封鎖材料
封鎖材料は、銅、又は銅合金、好ましくは銅であり得る。
【０２１２】
銅合金は、銅に加えて、スズ、アルミニウム、シリコン、ニッケル、又はこれらの組み合わせなどの、１種以上の更なる金属を含み得る。代替的に、又は加えて、銅合金は、炭素、窒素、シリコン、酸素、又はこれらの組み合わせなどの、１種以上の非金属元素を含み得る。
【０２１３】
銅合金は、様々な量の銅を含み得ることが認識されるであろう。例えば、銅合金は、銅合金の総重量に基づいて、銅の少なくとも約５重量％、少なくとも約１５重量％、少なくとも約３０重量％、少なくとも約５０重量％、少なくとも約７０重量％、又は少なくとも約９０重量％を含み得る。また、銅合金は、銅合金の総重量に基づいて、銅の約５重量％〜約９５重量％、約１０重量％〜約９０重量％、約１５重量％〜約８５重量％、約２０重量％〜約８０重量％、約３０重量％〜約７０重量％、又は約４０重量％〜約６０重量％を含み得ることも認識されるであろう。
【０２１４】
代替的に、銅は、封鎖材料として使用され得る。銅金属は、不純物レベルの他の要素又は化合物を含有し得る。例えば、銅の金属は、少なくとも約９９重量％、より好ましくは少なくとも約９９．５重量％、より好ましくは少なくとも約９９．９重量％の元素銅を含有し得る。
【０２１５】
銅又は銅合金は、冷媒が銅又は銅合金の表面に接触することを可能にする、任意の形態であり得る。好ましくは、銅又は銅合金の形態は、銅又は銅合金の表面積を最大にするように（すなわち、冷媒と接触する領域を最大にするように）選択される。
【０２１６】
例えば、金属は、メッシュ、ウール、球、円錐、円筒などの形態であり得る。「球体」という用語は、最大直径と最小直径との差が最大直径の約１０％以下である、三次元形状を指す。
【０２１７】
銅又は銅合金は、少なくとも約１０ｍ２／ｇ、少なくとも約２０ｍ２／ｇ、少なくとも約３０ｍ２／ｇ、少なくとも約４０ｍ２／ｇ、又は少なくとも約５０ｍ２／ｇのＢＥＴ表面積を有し得る。ＢＥＴ表面積は、ＡＳＴＭ  Ｄ６５５６−１０に従って測定され得る。
【０２１８】
封鎖材料が銅又は銅合金を含む場合、銅又は銅合金のＢＥＴ表面積は、冷媒１ｋｇ当たり約０．０１〜約１．５ｍ２、好ましくは冷媒１ｋｇ当たり約０．０２〜約０．５ｍ２であり得る。
【０２１９】
例えば、銅又は銅合金は、冷媒１ｋｇ当たり約０．０８ｍ２の表面積を有し得る。
【０２２０】
ｂ．ゼオライトモレキュラーシーブ封鎖材料
封鎖材料は、ゼオライトモレキュラーシーブを含み得る。ゼオライトモレキュラーシーブは、銅、銀、鉛、又はこれらの組み合わせ、好ましくは少なくとも銀を含む。
【０２２１】
好ましい実施形態では、ゼオライトモレキュラーシーブは、ゼオライトの総重量に基づいて、約１重量％〜約３０重量％、好ましくは約５重量％〜約２０重量％の量の金属、好ましくは、特定の実施形態では銀を含有する。
【０２２２】
金属（すなわち銅、銀、及び／又は鉛）は、単一の酸化状態で、又は様々な酸化状態で存在し得る（例えば、銅ゼオライトは、Ｃｕ（Ｉ）及びＣｕ（ＩＩ）の両方を含み得る）。
【０２２３】
ゼオライトモレキュラーシーブは、銀、鉛、及び／又は銅以外の金属を含み得る。
【０２２４】
ゼオライトは、約５〜４０Åのそれらの最大寸法にわたるサイズを有する開口部を有し得る。例えば、ゼオライトは、約３５Å以下のそれらの最大寸法にわたるサイズを有する開口部を有し得る。好ましくは、ゼオライトは、約１５〜約３５Åのそれらの最大寸法にわたるサイズを有する開口部を有し得る。ＩＯＮＳＩＶ  Ｄ７３１０−Ｃなどのゼオライトは、出願人らが、本発明に従って特定の分解生成物を効果的に除去することを見出した、活性部位を有する。
【０２２５】
封鎖材料が銅、銀、鉛、又はこれらの組み合わせを含むゼオライトモレキュラーシーブを含む場合、モレキュラーシーブ（例えば、ゼオライト）は、熱伝達システム内で処理されているモレキュラーシーブ（例えば、ゼオライト）、冷媒、及び潤滑剤（存在する場合）の総量に対して、約２重量％〜約２５重量％などの、約１重量％〜約３０重量％の量で存在し得る。
【０２２６】
好ましい実施形態において、封鎖材料は、銀を含むゼオライトモレキュラーシーブを含み、かかる実施形態において、モレキュラーシーブは、処理されている熱伝達システム内のモレキュラーシーブ（例えば、ゼオライト）及び潤滑剤の総量に基づいて、潤滑剤１００の重量部当たり（ｐａｒｔｓ  ｂｙ  ｗｅｉｇｈｔ  ｏｆ  ｌｕｂｒｉｃａｎｔ、ｐｐｈｌ）、少なくとも５％重量部（ｐａｒｔｓ  ｂｙ  ｗｅｉｇｈｔ、ｐｂｗ）、好ましくは約５ｐｂｗ〜約３０ｐｂｗ、又は約５ｐｂｗ〜約２０ｐｂｗの量で存在する。本段落に記載される好ましい実施形態は、本明細書に記載される熱伝達組成物からフッ化物を除去する優れた能力を有することを見出した。更にまた、本段落に記載される好ましい実施形態において、モレキュラーシーブ内に存在する銀の量は、ゼオライトの総重量に基づいて、約１〜約３０重量％、又は好ましくは約５〜約２０重量％である。
【０２２７】
好ましい実施形態において、封鎖材料は、銀を含むゼオライトモレキュラーシーブを含み、かかる実施形態において、モレキュラーシーブ（例えば、ゼオライト）は、処理されている熱伝達システム内のモレキュラーシーブ（例えば、ゼオライト）及び潤滑剤の総量に対して、少なくとも１０ｐｐｈｌ、好ましくは約１０ｐｐｈｌ〜３０ｐｐｈｌ、又は約１０ｐｐｈｌ〜約２０ｐｐｈｌ重量の量で存在し得る。本段落に記載される好ましい実施形態は、本明細書に記載される熱伝達組成物からヨウ化物を除去する優れた能力を有することを見出した。更にまた、本段落に記載される好ましい実施形態において、モレキュラーシーブ内に存在する銀の量は、ゼオライトの総重量に基づいて、約１〜約３０重量％、又は好ましくは約５〜約２０重量％である。
【０２２８】
好ましい実施形態において、封鎖材料は、銀を含むゼオライトモレキュラーシーブを含み、かかる実施形態において、モレキュラーシーブは、処理されている熱伝達システム内のモレキュラーシーブ及び潤滑剤の総量に対して、少なくともｐｐｈｌ、好ましくは約１５ｐｐｈｌ〜３０ｐｐｈｌ、又は約１５ｐｐｈｌ〜約２０ｐｐｈｌ重量の量で存在し得る。本段落に記載される好ましい実施形態は、本明細書に記載される熱伝達組成物のＴＡＮレベルを低減する優れた能力を有することを見出した。更にまた、本段落に記載される好ましい実施形態において、モレキュラーシーブ内に存在する銀の量は、ゼオライトの総重量に基づいて、約１〜約３０重量％、又は好ましくは約５〜約２０重量％である。
【０２２９】
好ましくは、ゼオライトモレキュラーシーブは、システム内のモレキュラーシーブ及び潤滑剤の総量に対して、少なくとも約１５ｐｐｈｌ又は少なくとも約１８ｐｐｈｌの量で存在する。したがって、モレキュラーシーブは、システム内に存在するモレキュラーシーブ及び潤滑剤の総量に対して、約１５ｐｐｈｌ〜約３０ｐｐｈｌ、又は約１８ｐｐｈｌ〜約２５のｐｐｈｌの量で存在し得る。
【０２３０】
ゼオライトは、システム内のモレキュラーシーブ及び潤滑剤の総量に対して、約５ｐｐｈｌ又は約２１ｐｐｈｌの量で存在し得ることが認識されるであろう。
【０２３１】
本明細書に記載されるゼオライトモレキュラーシーブの量は、モレキュラーシーブの乾燥重量を指す。本明細書で使用するとき、封鎖材料の「乾燥重量」という用語は、材料が５０ｐｐｍ以下の水分を有することを意味する。
【０２３２】
ｃ．陰イオン交換樹脂
封鎖材料は、陰イオン交換樹脂を含み得る。
【０２３３】
好ましくは、陰イオン交換樹脂は、強塩基性陰イオン交換樹脂である。強塩基性陰イオン交換樹脂は、１型樹脂又は２型樹脂であり得る。好ましくは、陰イオン交換樹脂は、１型の強塩基性陰イオン交換樹脂である。
【０２３４】
陰イオン交換樹脂は、一般に、正に荷電したマトリックス及び交換可能な陰イオンを含む。交換可能な陰イオンは、塩化物陰イオン（Ｃｌ−）及び／又はヒドロオキシ陰イオン（ＯＨ−）であり得る。
【０２３５】
陰イオン交換樹脂は、任意の形態で提供され得る。例えば、陰イオン交換樹脂は、ビーズとして提供され得る。ビーズは、乾燥時に、約０．３ｍｍ〜約１．２ｍｍのそれらの最大寸法にわたるサイズを有し得る。
【０２３６】
封鎖材料が陰イオン交換樹脂を含む場合、陰イオン交換樹脂は、システム内の陰イオン交換樹脂及び潤滑剤の総量に基づいて、約２ｐｐｈｌ〜約２０ｐｐｈｌなどの、約１ｐｐｈｌ〜約６０ｐｐｈｌ、又は約５ｐｐｈｌ〜約６０ｐｐｈｌ、又は約２０ｐｐｈｌ〜約５０ｐｐｈｌ、又は約２０ｐｐｈｌ〜約３０ｐｐｈｌ、又は約１ｐｐｈｌ〜約２５ｐｐｈｌの量で存在し得る。
【０２３７】
好ましくは、陰イオン交換樹脂は、システム内の陰イオン交換樹脂及び潤滑剤の総量に対して、少なくとも約１０ｐｐｈｌ、又は少なくとも約１５ｐｐｈｌの量で存在する。したがって、陰イオン交換樹脂は、システム内の陰イオン交換樹脂及び潤滑剤の総量に対して、約１０ｐｐｈｌ〜約２５ｐｐｈｌ、又は約１５ｐｐｈｌ〜約２０ｐｐｈｌの量で存在し得る。
【０２３８】
陰イオン交換樹脂は、システム内に存在する陰イオン交換樹脂及び潤滑剤の総量に基づいて、約４ｐｐｈｌ又は約１６ｐｐｈｌの量で存在し得ることが認識されるであろう。
【０２３９】
出願人らは、特にＡｍｂｅｒｌｙｓｔ  Ａ２１（遊離塩基）の商品名で販売されている材料を含む、産業グレードの弱塩基性陰イオン交換吸着材樹脂が、封鎖材料として作用するという予想外に有利な能力を見出した。本明細書で使用するとき、弱塩基アニオン樹脂は、遊離塩基形態の樹脂を指し、この樹脂は、好ましくは、三級アミン（無荷電）によってｅ官能化される。三級アミンは、窒素上に１つの自由孤立電子対を含み、これは、酸の存在下で容易にプロトン化される。好ましい実施形態において、本発明に従って使用されるイオン交換樹脂は、酸によってプロトン化され、次いで、任意の追加的な種を溶液中に戻すことに寄与することなく、完全に酸を除去するために、陰イオンの対イオンを引き付け、結合する。
【０２４０】
Ａｍｂｅｒｌｙｓｔ  Ａ２１は、出願人らが、物理的に非常に安定させ、かつ破損に抵抗させるようにするマクロ多孔性構造を提供するので有利であると見出したこと、及び出願人らが、比較的長い期間にわたって、好ましくはシステムの寿命にわたって、冷凍システムの高い流速に耐え得ることができることを見出したことから、好ましい材料である。
【０２４１】
本明細書に記載される陰イオン交換樹脂の量は、陰イオン交換樹脂の乾燥重量を指す。本明細書で使用するとき、封鎖材料の「乾燥重量」という用語は、材料が５０ｐｐｍ以下の水分を有することを意味する。
【０２４２】
本明細書で使用するとき、特定の封鎖材料のｐｐｈｌは、システムの内のその特定の封鎖材料及び潤滑剤の総重量に基づく特定の封鎖材料の重量百分率意味する。
【０２４３】
ｄ．水分除去材料
好ましい封鎖材料は、水分除去材料である。好ましい実施形態において、水分除去材料は、水分除去モレキュラーシーブを含むか、基本的にそれからなるか、又はそれからなる。好ましい水分除去モレキュラーシーブは、アルミノケイ酸ナトリウムモレキュラーシーブとして一般的に知られているものを含み、かかる材料は、好ましくは、シリカ及びアルミナ四面体の三次元相互接続ネットワークを有する結晶金属アルミノケイ酸である。出願人らは、かかる材料が、水分を除去するために本発明のシステムにおいて効果的であり、また、最も好ましくは、タイプ３Ａ、４Ａ、５Ａ、及び１３Ｘとして、孔サイズに従って分類されることを見出した。
【０２４４】
水分除去材料、及び特に水分除去モレキュラーシーブ、更により好ましくはアルミノケイ酸ナトリウムモレキュラーシーブが、好ましくは、約１５ｐｐｈｌ〜約６０ｐｐｈｌ重量、更により好ましくは、約３０ｐｐｈｌ〜４５ｐｐｈｌ重量である。
【０２４５】
ｅ．活性アルミナ
出願人らが本発明に従って効果的であることを見出し、かつ市販されている活性アルミナの例としては、ＢＡＳＦによってＦ２００の商品名で、及びＨｏｎｅｙｗｅｌｌ／ＵＯＰによってＣＬＲ−２０４の商品名で販売されているナトリウム活性アルミナが挙げられる。出願人らは、本発明の冷媒組成物並びに熱伝達方法及び装置に関連して生成される酸性の有害な材料の種類を封鎖するために、一般に活性アルミナ、特に上で述べたナトリウム活性アルミナが、特に効果的であることを見出した。
【０２４６】
封鎖材料が活性アルミナを含む場合、活性アルミナは、約１ｐｐｈｌ〜約６０ｐｐｈｌ重量、又は約５ｐｐｈｌ〜約６０ｐｐｈｌ重量で存在し得る。
【０２４７】
ｆ．封鎖材料の組み合わせ
本発明の組成物は、封鎖材料の組み合わせを含み得る。
【０２４８】
例えば、封鎖材料は、少なくとも、（ｉ）銅又は銅合金と、（ｉｉ）銅、銀、鉛、又はこれらの組み合わせを含むモレキュラーシーブ（例えば、ゼオライト）と、を含み得る。
【０２４９】
曝露が３０℃超及び未満の両方の温度で実行された場合、予想外の結果を生じる好ましい実施形態において、封鎖材料は、（ｉ）銅、銀、鉛、又はこれらの組み合わせを含むモレキュラーシーブ（例えば、ゼオライト）と、（ｉｉ）陰イオン交換樹脂と、を含み得る。
【０２５０】
代替的に、封鎖材料は、（ｉ）銅又は銅合金と、（ｉｉ）陰イオン交換樹脂と、を含み得る。
【０２５１】
封鎖材料の組み合わせが陰イオン交換樹脂を含む場合、陰イオン交換樹脂は、好ましくは、システム内の陰イオン交換樹脂及び潤滑剤の総量に基づいて、約２ｐｐｈｌ〜約２０ｐｐｈｌなどの、約１ｐｐｈｌ〜約２５ｐｐｈｌの量で存在し得る。
【０２５２】
好ましくは、封鎖材料の組み合わせが陰イオン交換樹脂を含む場合、陰イオン交換樹脂は、システム内に存在する陰イオン交換樹脂及び潤滑剤の総量に基づいて、少なくとも約１０ｐｐｈｌ又は少なくとも約１５ｐｐｈｌの量で存在する。したがって、陰イオン交換樹脂は、システム内に存在する陰イオン交換樹脂及び潤滑剤の総量に対して、約１０ｐｐｈｌ〜約２５ｐｐｈｌ、又は約１５ｐｐｈｌ〜約２０ｐｐｈｌの量で存在し得る。
【０２５３】
陰イオン交換樹脂は、システム内に存在する陰イオン交換樹脂及び潤滑剤の総量に対して、約４ｐｐｈｌ又は約１６ｐｐｈｌの量で存在し得ることが認識されるであろう。
【０２５４】
本明細書に記載される陰イオン交換樹脂の量は、陰イオン交換樹脂の乾燥重量を指す。本明細書で使用するとき、封鎖材料の「乾燥重量」という用語は、材料が５０ｐｐｍ以下の水分を有することを意味する。
【０２５５】
封鎖材料の組み合わせが、銅、銀、鉛、又はこれらの組み合わせを含むモレキュラーシーブ（例えば、ゼオライト）を含む場合、モレキュラーシーブ（例えば、ゼオライト）は、システム内に存在するモレキュラーシーブ（例えば、ゼオライト）潤滑剤の総量に基づいて、約２ｐｐｈｌ〜約２５ｐｐｈｌなどの、約１ｐｐｈｌ〜約３０ｐｐｈｌの量で存在し得る。
【０２５６】
好ましくは、封鎖材料の組み合わせがモレキュラーシーブ（例えば、ゼオライト）を含む場合、モレキュラーシーブ（例えば、ゼオライト）は、システム内に存在するモレキュラーシーブ（例えば、ゼオライト）及び潤滑剤の総量に対して、少なくとも約１５ｐｐｈｌ又は少なくとも約１８ｐｐｈｌの量で存在する。したがって、モレキュラーシーブ（例えば、ゼオライト）は、システム内に存在するモレキュラーシーブ（例えば、ゼオライト）及び潤滑剤の総量に対して、約１５ｐｐｈｌ〜約３０ｐｐｈｌ又は約１８ｐｐｈｌ〜約２５ｐｐｈｌの量で存在し得る。
【０２５７】
モレキュラーシーブ（例えば、ゼオライト）は、システム内に存在するモレキュラーシーブ（例えば、ゼオライト）及び潤滑剤の総量に基づいて、約５ｐｐｈｌ又は約２１ｐｐｈｌの量で存在し得ることが認識されるであろう。
【０２５８】
本明細書に記載されるモレキュラーシーブ（例えば、ゼオライト）の量は、金属ゼオライトの乾燥重量を指す。
【０２５９】
封鎖材料の組み合わせが銅又は銅合金を含む場合、銅又は銅合金は、冷媒１ｋｇ当たり約０．０１ｍ２〜約１．５ｍ２、又は冷媒１ｋｇ当たり約０．０２ｍ２〜約０．５ｍ２の表面積を有し得る。
【０２６０】
銅又は銅合金は、冷媒１ｋｇ当たり約０．０８ｍ２の表面積を有し得ることが認識されるであろう。
【０２６１】
封鎖材料の組み合わせが存在する場合、材料は、互いに対して任意の比率で提供され得る。
【０２６２】
例えば、封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）は、好ましくは、約１０：９０〜約９０：１０、約２０：８０〜約８０：２０、約２５：７５〜約７５：２５、約３０：７０〜約７０：３０、又は約６０：４０〜約４０：６０の範囲である。陰イオン交換樹脂と金属ゼオライトとの例示的な重量比としては、約２５：７５、約５０：５０、及び約７５：２５が挙げられる。
【０２６３】
したがって、本発明のシステムは、好ましくは、本発明による冷媒の少なくとも一部分と接触する封鎖材料を含み、当該接触時の当該封鎖材料の温度及び／又は当該冷媒の温度が、好ましくは少なくとも約１０℃である温度であり、封鎖材料は、好ましくは、
陰イオン交換樹脂、
活性アルミナ、
水分除去モレキュラーシーブ、
水分除去材料、好ましくは水分除去モレキュラーシーブ、
上記の材料の組み合わせ、を含む。
【０２６４】
本出願において使用されるとき、「少なくとも一部分と接触している」という用語は、その広い意味において、当該封鎖材料の各々及び封鎖材料の任意の組み合わせが、システム内の冷媒の同じ部分又は別個の部分と接触していることを含むことを意図し、また、必ずしも限定されるものではないが、各種類又は特定の封鎖材料が、（ｉ）存在する場合に、物理的に互いに一緒に位置する種類又は特定の材料、（ｉｉ）存在する場合に、物理的に互いに別個に位置する種類又は特定の材料、及び（ｉｉｉ）２種以上の材料が物理的に一緒であること、及び少なくとも１種の封鎖材料が少なくとも１種の他の封鎖材料から物理的に別個であることと、の組み合わせ、である実施形態を含むことを意図する。
【０２６５】
冷媒
本本発明に従って使用される冷媒組成物は、組成物中の全ての冷媒成分に基づいて、少なくとも約５重量％の低級アルキルヨードフルオロカーボン、より好ましくは少なくとも約５重量％のＣＦ３Ｉを含む。
【０２６６】
好ましい実施形態において、冷媒は、少なくとも約３０重量％の、又は少なくとも約５０重量％の低級アルキルヨードフルオロカーボン、より好ましくは少なくとも約３０重量％のＣＦ３Ｉ、又は少なくとも約５０重量％のＣＦ３Ｉを含む。
【０２６７】
冷媒組成物は、ＨＦＣ−３２（ジフルオロメタン）、ＨＦＣ−１２５（ペンタフルオロエタン）、ＨＦＣ−１３４ａ（１，１，１，２−テトラフルオロエタン）、二酸化炭素、トランス−ＨＦＯ−１２３４ｚｅ（トランス−１，３，３，３−テトラフルオロプロパン）、トランス−ＨＦＯ−１２３３ｚｄ（トランス−１−クロロ−３，３，３−トリフルオロプロパン）、ＨＦＣ−２２７ｅａ（１，１，１，２，３，３，３−ヘプタフルオロプロパン）、及びこれらの組み合わせからなるから群選択される、１種以上の共冷媒化合物を含み得る。
【０２６８】
好ましくは、冷媒は、少なくとも約５重量％、少なくとも約３０重量％、若しくは少なくとも約５０重量％の低級アルキルヨードフルオロカーボン、又は少なくとも約５重量％、少なくとも約３０重量％、又は少なくとも約５０重量％のＣＦ３Ｉ、及び少なくとも１種の追加的な共同冷媒化合物を含み、当該の少なくとも１種の追加的な共同冷媒化合物は、好ましくは、ＨＦＣ−３２、ＨＦＣ−１２５、ＨＦＣ−１３４ａ、ＨＦＣ−２２７ｅａ、トランス−ＨＦＯ−１２３４ｚｅ、トランス−ＨＦＯ−１２３３ｚｄ、ＣＯ２、及びこれらの組み合わせからなる群から選択される。
【０２６９】
好ましくは、冷媒は、基本的に、低級アルキルヨードフルオロカーボン、好ましくはＣＦ３Ｉ、並びにＨＦＣ−３２、ＨＦＣ−１２５、ＨＦＣ−１３４ａ、ＨＦＣ−２２７ｅａ、トランス−ＨＦＯ−１２３４ｚｅ、トランス−ＨＦＯ−１２３３ｚｄ、ＣＯ２、及びこれらの組み合わせからなる群から選択される少なくとも１種の追加的な化合物からなる。好ましい実施形態において、冷媒は、低級アルキルヨードフルオロカーボン又はＣＦ３Ｉからなり得ることが認識されるであろう。冷媒は、基本的に低級アルキルヨードフルオロカーボンからなり得るか、又は基本的にＣＦ３Ｉからなり得る。
【０２７０】
冷媒は、好ましくは約７００以下の、好ましくは約３００以下の、より好ましくは約１５０以下の、更により好ましくは約１００以下の地球温暖化電位（ＧＷＰ）を有する。
【０２７１】
冷媒は、約０．０５以下の、より好ましくは約０．０２以下の、更に好ましくは約０のオゾン層破壊係数を有する。
【０２７２】
冷媒は、好ましくは、ＡＳＨＲＡＥ標準３４−２０１３に記載され、かつＡＳＨＲＡＥ標準３４−２０１３の付録Ｂ１に記載される条件で、ＡＳＴＭ標準Ｅ６８１−２００１に従って、不燃性である。
【０２７３】
加えて、冷媒は、好ましくは、約４００を超える職業曝露限界（Ｏｃｃｕｐａｔｉｏｎａｌ  Ｅｘｐｏｓｕｒｅ  Ｌｉｍｉｔ、ＯＥＬ）を有する。
【０２７４】
ｉ．ＣＦ３Ｉ及びＨＦＣ−３２の配合物
本方法、並びにシステム、及び組成物は、ＣＦ３Ｉ及びＨＦＣ−３２を含む冷媒を含む。各構成要素は、広範囲にわたる量で冷媒中に存在し得る。
【０２７５】
例えば、冷媒は、ＣＦ３Ｉ及びＨＦＣ−３２を含み得、ＣＦ３Ｉは、少なくとも約５重量％、少なくとも約３０重量％、又は少なくとも約５０重量％の量で存在する。
【０２７６】
代替的に、冷媒は、約６０重量％〜約６６重量％のＣＦ３Ｉ、及び約３４重量％〜約４０重量％のＨＦＣ−３２を含み得る。好ましくは、冷媒は、約３６重量％のＨＦＣ−３２及び約６４％のＣＦ３Ｉ、又は約３８重量％のＨＦＣ−３２及び約６２重量％のＣＦ３Ｉを含む。
【０２７７】
冷媒は、基本的にＣＦ３Ｉ及びＨＦＣ−３２からなり得ることが認識されるであろう。冷媒は、ＣＦ３Ｉ及びＨＦＣ−３２からなり得る。
【０２７８】
したがって、本発明は、基本的にＣＦ３Ｉ及びＨＦＣ−３２からなる冷媒を含み、ＣＦ３Ｉは、少なくとも約５重量％の、少なくとも約３０重量％の、又は少なくとも約５０重量％の量で存在する。本段落による冷媒は、ＣＦ３Ｉ及びＨＦＣ−３２からなり得る。
【０２７９】
本発明は、基本的に約６０重量％〜約６６重量％のＣＦ３Ｉ及び約３４重量％〜約４０重量％のＨＦＣ−３２からなる冷媒を含む。好ましい実施形態において、冷媒は、基本的に約３６重量％のＨＦＣ−３２及び約６４重量％のＣＦ３Ｉ、又は約３８重量％のＨＦＣ−３２及び約６２重量％のＣＦ３Ｉからなる。本段落による冷媒は、ＣＦ３Ｉ及びＨＦＣ−３２からなり得る。
【０２８０】
ｉｉ．ＣＦ３Ｉ、ＨＦＣ−３２、及びＨＦＣ−１２５の配合物
本方法、並びにシステム、及び組成物は、ＣＦ３Ｉ、ＨＦＣ−３２、及びＨＦＣ−１２５を含む冷媒を含む。各構成要素は、広範囲にわたる量で冷媒中に存在し得る。
【０２８１】
例えば、冷媒は、ＣＦ３Ｉ、ＨＦＣ−３２、及びＨＦＣ−１２５を含み得、ＣＦ３Ｉは、少なくとも約５重量％、少なくとも約３０重量％、又は少なくとも約５０重量％の量で存在する。
【０２８２】
代替的に、冷媒は、約３９．５重量％〜約４５．５重量％のＣＦ３Ｉ、約４２重量％〜約４８重量％のＨＦＣ−３２、及び約６．５重量％〜約１２．５重量％のＨＦＣ−１２５を含み得る。好ましくは、冷媒は、約４１重量％〜約４３重量％のＣＦ３Ｉ、約４５．５重量％〜約４６．５重量％のＨＦＣ−３２、及び約１１．５重量％〜約１２．５重量％のＨＦＣ−１２５を含む。
【０２８３】
冷媒は、基本的にＣＦ３Ｉ、ＨＦＣ−３２、及びＨＦＣ−１２５からなり得ることが認識されるであろう。冷媒は、ＣＦ３Ｉ、ＨＦＣ−３２、及びＨＦＣ−１２５からなり得る。
【０２８４】
本発明は、基本的にＣＦ３Ｉ、ＨＦＣ−３２、及びＨＦＣ−１２５からなる冷媒を含み、ＣＦ３Ｉは、少なくとも約５重量％、少なくとも約３０重量％、又は少なくとも約５０重量％の量で存在する。本段落による冷媒は、ＣＦ３Ｉ、ＨＦＣ−３２、及びＨＦＣ−１２５からなり得る。
【０２８５】
本発明は、基本的に約３９．５重量％〜約４５．５重量％のＣＦ３Ｉ、約４２重量％〜約４８重量％のＨＦＣ−３２、及び約６．５重量％〜約１２．５重量％のＨＦＣ−１２５からなる冷媒を含む。好ましくは、冷媒は、基本的に約４１重量％〜約４３重量％のＣＦ３Ｉ、約４５．５重量％〜約４６．５重量％のＨＦＣ−３２、及び約１１．５重量％〜約１２．５重量％のＨＦＣ−１２５からなる。本段落による冷媒は、ＣＦ３Ｉ、ＨＦＣ−３２、及びＨＦＣ−１２５からなり得る。
【０２８６】
ｉｉｉ．ＣＦ３Ｉ、トランス−ＨＦＯ−１２３４ｚｅ、及びトランス−ＨＦＯ−１２３３ｚｄの配合物
本方法、並びにシステム、及び組成物は、ＣＦ３Ｉ、トランス−ＨＦＯ−１２３４ｚｅ、及びトランス−ＨＦＯ−１２３３ｚｄを含む冷媒を含む。各構成要素は、広範囲にわたる量で冷媒中に存在し得る。
【０２８７】
例えば、冷媒は、ＣＦ３Ｉ、トランス−ＨＦＯ−１２３４ｚｅ、及びトランス−ＨＦＯ−１２３３ｚｄを含み得、ＣＦ３Ｉは、少なくとも約５重量％、少なくとも約３０重量％、又は少なくとも約５０重量％の量で存在する。
【０２８８】
代替的に、冷媒は、約１５重量％〜約２１重量％のＣＦ３Ｉ、約７７重量％〜約８３重量％のトランス−ＨＦＯ−１２３４ｚｅ、及び約１重量％〜約２重量％のトランス−ＨＦＯ−１２３３ｚｄを含み得る。好ましくは、トランス−ＨＦＯ−１２３３ｚｄは、約２重量％の量で存在する。
【０２８９】
好ましくは、冷媒は、約１８重量％〜約２１重量％のＣＦ３Ｉ、約７７重量％〜約８０重量％のトランス−ＨＦＯ−１２３４ｚｅ、及び約１重量％〜約２重量％のトランス−ＨＦＯ−１２３３ｚｄを含む。好ましくは、トランス−ＨＦＯ−１２３３ｚｄは、約２重量％の量で存在する。
【０２９０】
冷媒は、基本的にＣＦ３Ｉ、トランス−ＨＦＯ−１２３４ｚｅ、及びトランス−ＨＦＯ−１２３３ｚｄからなり得ることが認識されるであろう。冷媒は、ＣＦ３Ｉ、トランス−ＨＦＯ−１２３４ｚｅ、及びトランス−ＨＦＯ−１２３３ｚｄからなり得る。
【０２９１】
本発明は、基本的にＣＦ３Ｉ、トランス−ＨＦＯ−１２３４ｚｅ、及びトランス−ＨＦＯ−１２３３ｚｄからなる冷媒を含み、ＣＦ３Ｉは、少なくとも約５重量％、少なくとも約３０重量％、又は少なくとも約５０重量％の量で存在する。本段落による冷媒は、ＣＦ３Ｉ、トランス−ＨＦＯ−１２３４ｚｅ、及びトランス−ＨＦＯ−１２３３ｚｄからなり得る。
【０２９２】
また、基本的に約１５重量％〜約２１重量％のＣＦ３Ｉ、約７７重量％〜約８３重量％のトランス−ＨＦＯ−１２３４ｚｅ、及び約１重量％〜約２重量％のトランス−ＨＦＯ−１２３３ｚｄからなる冷媒も開示する。好ましくは、トランス−ＨＦＯ−１２３３ｚｄは、約２重量％の量で存在する。冷媒は、ＣＦ３Ｉ、トランス−ＨＦＯ−１２３４ｚｅ、及びトランス−ＨＦＯ−１２３３ｚｄからなり得る。
【０２９３】
好ましくは、冷媒は、基本的に約１８重量％〜約２１重量％のＣＦ３Ｉ、約７７重量％〜約８０重量％のトランス−ＨＦＯ−１２３４ｚｅ、及び約１重量％〜約２重量％のトランス−ＨＦＯ−１２３３ｚｄからなる。好ましくは、トランス−ＨＦＯ−１２３３ｚｄは、約２重量％の量で存在する。本段落による冷媒は、ＣＦ３Ｉ、トランス−ＨＦＯ−１２３４ｚｅ、及びトランス−ＨＦＯ−１２３３ｚｄからなり得る。
【０２９４】
ｉｖ．ＣＦ３Ｉ、ＨＦＣ−２２７ｅａ、トランス−ＨＦＯ−１２３４ｚｅ、及びトランス−ＨＦＯ−１２３３ｚｄの配合物
本方法、並びにシステム、及び組成物は、ＣＦ３Ｉ、ＨＦＣ−２２７ｅａ、トランス−ＨＦＯ−１２３４ｚｅ、及びトランス−ＨＦＯ−１２３３ｚｄを含む冷媒を含む。各構成要素は、広範囲にわたる量で冷媒中に存在し得る。
【０２９５】
例えば、冷媒はＣＦ３Ｉ、ＨＦＣ−２２７ｅａ、トランス−ＨＦＯ−１２３４ｚｅ、及びトランス−ＨＦＯ−１２３３ｚｄを含み得、ＣＦ３Ｉは、少なくとも約５重量％、少なくとも約３０重量％、又は少なくとも約５０重量％の量で存在する。
【０２９６】
代替的に、冷媒は、約６．６重量％〜約２０．６重量％のＣＦ３Ｉ、約４．４重量％のＨＦＣ−２２７ｅａ、約７３〜約８７重量％のトランス−ＨＦＯ−１２３４ｚｅ、及び約１重量％〜約２重量％のトランス−ＨＦＯ−１２３３ｚｄを含み得る。好ましくは、トランス−ＨＦＯ−１２３３ｚｄは、約２重量％の量で存在する。
【０２９７】
好ましくは、冷媒は、約７．６重量％〜約１１．６重量％のＣＦ３Ｉ、約４．４重量％のＲ２２７ｅａ、約８２重量％〜約８６重量％のトランス−ＨＦＯ−１２３４ｚｅ、及び約１重量％〜約２重量％のトランス−ＨＦＯ−１２３３ｚｄを含む。好ましくは、トランス−ＨＦＯ−１２３３ｚｄは、約２重量％の量で存在する。
【０２９８】
冷媒は、基本的にＣＦ３Ｉ、ＨＦＣ−２２７ｅａ、トランス−ＨＦＯ−１２３４ｚｅ、及びトランス−ＨＦＯ−１２３３ｚｄからなり得ることが認識されるであろう。冷媒は、ＣＦ３Ｉ、ＨＦＣ−２２７ｅａ、トランス−ＨＦＯ−１２３４ｚｅ、及びトランス−ＨＦＯ−１２３３ｚｄからなり得る。
【０２９９】
本発明は、基本的にＣＦ３Ｉ、ＨＦＣ−２２７ｅａ、トランス−ＨＦＯ−１２３４ｚｅ、及びトランス−ＨＦＯ−１２３３ｚｄからなる冷媒を含み、ＣＦ３Ｉは、少なくとも約５重量％の量、少なくとも約３０重量％、又は少なくとも約５０重量％の量で存在する。
【０３００】
また、基本的に約６．６重量％〜約２０．６重量％のＣＦ３Ｉ、約４．４重量％のＨＦＣ−２２７ｅａ、約７３重量％〜約８７重量％のトランス−ＨＦＯ−１２３４ｚｅ、及び約１重量％〜約２重量％のトランス−ＨＦＯ−１２３３ｚｄからなる冷媒も開示する。好ましくは、トランス−ＨＦＯ−１２３３ｚｄは、約２重量％の量で存在する。本段落による冷媒は、ＣＦ３Ｉ、ＨＦＣ−２２７ｅａ、トランス−ＨＦＯ−１２３４ｚｅ、及びトランス−ＨＦＯ−１２３３ｚｄからなり得る。
【０３０１】
好ましくは、冷媒は、基本的に約７．６重量％〜約１１．６重量％のＣＦ３Ｉ、約４．４重量％のＲ２２７ｅａ、約８２重量％〜約８６重量％のトランス−ＨＦＯ−１２３４ｚｅ、及び約１重量％〜約２重量％のトランス−ＨＦＯ−１２３３ｚｄからなる。好ましくは、トランス−ＨＦＯ−１２３３ｚｄは、約２重量％の量で存在する。本段落による冷媒は、ＣＦ３Ｉ、ＨＦＣ−２２７ｅａ、トランス−ＨＦＯ−１２３４ｚｅ、及びトランス−ＨＦＯ−１２３３ｚｄからなり得る。
【０３０２】
ｖ．ＣＦ３Ｉ及びＨＦＯ−１２３４ｙｆの配合物
本方法、並びにシステム、及び組成物は、ＣＦ３Ｉ及びＨＦＯ−１２３４ｙｆを含む冷媒を含む。各構成要素は、広範囲にわたる量で冷媒中に存在し得る。
【０３０３】
例えば、冷媒は、ＣＦ３Ｉ及びＨＦＯ−１２３４ｙｆを含み得、ＣＦ３Ｉは、少なくとも約５重量％、少なくとも約３０重量％、又は少なくとも約５０重量％の量で存在する。
【０３０４】
代替的に、冷媒は、約２８重量％〜約３２重量％のＣＦ３Ｉ、及び約６８重量％〜約７２重量％のＨＦＯ−１２３４ｙｆを含み得る。
【０３０５】
冷媒は、基本的にＣＦ３Ｉ及びＨＦＯ−１２３４ｙｆからなり得ることが認識されるであろう。冷媒は、ＣＦ３Ｉ及びＨＦＯ−１２３４ｙｆからなり得る。
【０３０６】
したがって、基本的にＣＦ３Ｉ及びＨＦＯ−１２３４ｙｆからなる冷媒を開示し、ＣＦ３Ｉは、少なくとも約５重量％、少なくとも約３０重量％、又は少なくとも約５０重量％の量で存在する。本段落による冷媒は、ＣＦ３Ｉ及びＨＦＯ−１２３４ｙｆからなり得る。
【０３０７】
本発明は、基本的に約２８重量％〜約３２重量％のＣＦ３Ｉ、及び約６８重量％〜約７２重量％のＨＦＯ−１２３４ｙｆからなる冷媒を含む。本段落による冷媒は、ＣＦ３Ｉ及びＨＦＯ−１２３４ｙｆからなり得る。
【０３０８】
ｖｉ．ＣＦ３Ｉ、ＨＦＣ−３２、及びＨＦＯ−１２３４ｙｆの配合物
本方法、並びにシステム、及び組成物は、ＣＦ３Ｉ、ＨＦＣ−３２、及びＨＦＯ−１２３４ｙｆを含み得る冷媒を含む。各構成要素は、広範囲にわたる量で冷媒中に存在し得る。
【０３０９】
例えば、冷媒は、ＣＦ３Ｉ、ＨＦＣ−３２、及びＨＦＯ−１２３４ｙｆを含み得、ＣＦ３Ｉは、少なくとも約５重量％、少なくとも約３０重量％、又は少なくとも約５０重量％の量で存在する。
【０３１０】
冷媒は、基本的にＣＦ３Ｉ、ＨＦＣ−３２、及びＨＦＯ−１２３４ｙｆからなり得ることが認識されるであろう。冷媒は、ＣＦ３Ｉ、ＨＦＣ−３２、及びＨＦＯ−１２３４ｙｆからなり得る。
【０３１１】
本発明は、基本的にＣＦ３Ｉ、ＨＦＣ−３２、及びＨＦＯ−１２３４ｙｆからなる冷媒を含み、ＣＦ３Ｉは、少なくとも約５重量％、少なくとも約３０重量％、又は少なくとも約５０重量％の量で存在する。本段落による冷媒は、ＣＦ３Ｉ、ＨＦＣ−３２、及びＨＦＯ−１２３４ｙｆからなり得る。
【０３１２】
ｖｉｉ．ＣＦ３Ｉ、ＨＦＣ−３２、ＨＦＣ−１２５、及びＨＦＯ−１２３４ｙｆの配合物
本方法、並びにシステム、及び組成物は、ＣＦ３Ｉ、ＨＦＣ−３２、ＨＦＣ−１２５、及びＨＦＯ−１２３４ｙｆを含み得る冷媒を含む。各構成要素は、広範囲にわたる量で冷媒中に存在し得る。
【０３１３】
例えば、冷媒は、ＣＦ３Ｉ、ＨＦＣ−３２、ＨＦＣ−１２５、及びＨＦＯ−１２３４ｙｆを含み得、ＣＦ３Ｉは、少なくとも約５重量％、少なくとも約３０重量％、又は少なくとも約５０重量％の量で存在する。
【０３１４】
代替的に、冷媒は、約３３重量％〜約４１重量％のＣＦ３Ｉ、約３８重量％〜約４８重量％のＨＦＣ−３２、約６重量％〜約１２重量％のＨＦＣ−１２５、及び約２重量％〜約１２重量％のＨＦＯ−１２３４ｙｆを含み得る。
【０３１５】
好ましくは、冷媒は、約３４重量％〜約３６重量％のＣＦ３Ｉ、約４６重量％〜約４８重量％のＨＦＣ−３２、約１１重量％〜約１２重量％のＨＦＣ−１２５、及び約５重量％〜約７重量％のＨＦＯ−１２３４ｙｆを含む。
【０３１６】
冷媒は、基本的にＣＦ３Ｉ、ＨＦＣ−３２、ＨＦＣ−１２５、及びＨＦＯ−１２３４ｙｆからなり得ることが認識されるであろう。本段落による冷媒は、ＣＦ３Ｉ、ＨＦＣ−３２、ＨＦＣ−１２５、及びＨＦＯ−１２３４ｙｆからなり得る。
【０３１７】
本発明は、基本的にＣＦ３Ｉ、ＨＦＣ−３２、ＨＦＣ−１２５、及びＨＦＯ−１２３４ｙｆからなる冷媒を含み、ＣＦ３Ｉは、少なくとも約５重量％、少なくとも約３０重量％、又は少なくとも約５０重量％の量で存在する。冷媒は、ＣＦ３Ｉ、ＨＦＣ−３２、ＨＦＣ−１２５、及びＨＦＯ−１２３４ｙｆからなり得る。
【０３１８】
本発明は、基本的に約３３重量％〜約４１重量％のＣＦ３Ｉ、約３８重量％〜約４８重量％のＨＦＣ−３２、約６重量％〜約１２重量％のＨＦＣ−１２５、及び約２重量％〜約１２重量％のＨＦＯ−１２３４ｙｆからなる冷媒を含む。本段落による冷媒は、ＣＦ３Ｉ、ＨＦＣ−３２、ＨＦＣ−１２５、及びＨＦＯ−１２３４ｙｆからなり得る。
【０３１９】
好ましくは、冷媒は、基本的に、約３４重量％〜約３６重量％のＣＦ３Ｉ、約４６重量％〜約４８重量％のＨＦＣ−３２、約１１重量％〜約１２重量％のＨＦＣ−１２５、及び約５重量％〜約７重量％のＨＦＯ−１２３４ｙｆからなる。本段落による冷媒は、ＣＦ３Ｉ、ＨＦＣ−３２、ＨＦＣ−１２５、及びＨＦＯ−１２３４ｙｆからなり得る。
【０３２０】
ｖｉｉｉ．ＣＦ３Ｉ、ＨＦＣ−３２、ＨＦＣ−１２５、及びトランス−ＨＦＯ−１２３４ｚｅの配合物
本方法、並びにシステム、及び組成物は、ＣＦ３Ｉ、ＨＦＣ−３２、ＨＦＣ−１２５、及びトランス−ＨＦＯ−１２３４ｚｅを含み得る冷媒を含む。各構成要素は、広範囲にわたる量で冷媒中に存在し得る。
【０３２１】
例えば、冷媒は、ＣＦ３Ｉ、ＨＦＣ−３２、ＨＦＣ−１２５、及びトランス−ＨＦＯ−１２３４ｚｅを含み得、ＣＦ３Ｉは、少なくとも約５重量％、少なくとも約３０重量％、又は少なくとも約５０重量％の量で存在する。
【０３２２】
代替的に、冷媒は、約４０重量％〜約４９重量％のＨＦＣ−３２、約６重量％〜約１２重量％のＨＦＣ−１２５、約３３重量％〜約４０重量％のＣＦ３Ｉ、及び約２重量％〜約１２重量％のトランスＨＦＯ−１２３４ｚｅを含み得る。
【０３２３】
好ましくは、冷媒は、約４６．５重量％〜約４８．５重量％のＨＦＣ−３２、約１０．５重量％〜約１２重量％のＨＦＣ−１２５、約３４．５重量％〜約３６．５重量％のＣＦ３Ｉ、及び約２重量％〜約５重量％のトランスＨＦＯ−１２３４ｚｅを含む。
【０３２４】
冷媒は、基本的にＣＦ３Ｉ、ＨＦＣ−３２、ＨＦＣ−１２５、及びトランス−ＨＦＯ−１２３４ｚｅからなり得ることが認識されるであろう。冷媒は、ＣＦ３Ｉ、ＨＦＣ−３２、ＨＦＣ−１２５、及びトランス−ＨＦＯ−１２３４ｚｅからなり得る。
【０３２５】
本発明は、基本的にＣＦ３Ｉ、ＨＦＣ−３２、ＨＦＣ−１２５、及びトランス−ＨＦＯ−１２３４ｚｅからなる冷媒を含み、ＣＦ３Ｉは、少なくとも約５重量％、少なくとも約３０重量％、又は少なくとも約５０重量％の量で存在する。冷媒は、ＣＦ３Ｉ、ＨＦＣ−３２、ＨＦＣ−１２５、及びトランス−ＨＦＯ−１２３４ｚｅからなり得る。
【０３２６】
本発明は、基本的に約４０重量％〜約４９重量％のＨＦＣ−３２、約６重量％〜約１２重量％のＨＦＣ−１２５、約３３重量％〜約４０重量％のＣＦ３Ｉ、及び約２重量％〜約１２重量％のトランスＨＦＯ−１２３４ｚｅからなる冷媒を含む。本段落による冷媒は、ＣＦ３Ｉ、ＨＦＣ−３２、ＨＦＣ−１２５、及びトランス−ＨＦＯ−１２３４ｚｅからなり得る。
【０３２７】
好ましくは、冷媒は、基本的に約４６．５重量％〜約４８．５重量％のＨＦＣ−３２、約１０．５重量％〜約１２重量％のＨＦＣ−１２５、約３４．５重量％〜約３６．５重量％のＣＦ３Ｉ、及び約２重量％〜約５重量％のトランスＨＦＯ−１２３４ｚｅからなる。本段落による冷媒は、ＣＦ３Ｉ、ＨＦＣ−３２、ＨＦＣ−１２５、及びトランス−ＨＦＯ−１２３４ｚｅからなり得る。
【０３２８】
ｉｘ．ＣＦ３Ｉ、ＨＦＣ−３２、ＣＯ２、及びＨＦＯ−１２３４ｙｆの配合物
本方法、並びにシステム、及び組成物は、ＣＦ３Ｉ、ＨＦＣ−３２、ＣＯ２、及びＨＦＯ−１２３４ｙｆを含み得る冷媒を含む。各構成要素は、広範囲にわたる量で冷媒中に存在し得る。
【０３２９】
例えば、冷媒は、ＣＦ３Ｉ、ＨＦＣ−３２、ＣＯ２、及びＨＦＯ−１２３４ｙｆを含み得、ＣＦ３Ｉは、少なくとも約５重量％、少なくとも約３０重量％、又は少なくとも約５０重量％の量で存在する。
【０３３０】
冷媒は、基本的にＣＦ３Ｉ、ＨＦＣ−３２、ＣＯ２、及びＨＦＯ−１２３４ｙｆからなり得ることが認識されるであろう。冷媒は、ＣＦ３Ｉ、ＨＦＣ−３２、ＣＯ２、及びＨＦＯ−１２３４ｙｆからなり得る。
【０３３１】
本発明は、基本的にＣＦ３Ｉ、ＨＦＣ−３２、ＣＯ２、及びＨＦＯ−１２３４ｙｆからなる冷媒を含み、ＣＦ３Ｉは、少なくとも約５重量％、少なくとも約３０重量％、又は少なくとも約５０重量％の量で存在する。冷媒は、ＣＦ３Ｉ、ＨＦＣ−３２、ＣＯ２、及びＨＦＯ−１２３４ｙｆからなり得る。
【０３３２】
ｘ．ＣＦ３Ｉ、ＨＦＣ−１３４ａ、及びＨＦＯ−１２３４ｙｆの配合物
本方法、並びにシステム、及び組成物は、ＣＦ３Ｉ、ＨＦＣ−１３４ａ、及びＨＦＯ−１２３４ｙｆを含み得る冷媒を含む。各構成要素は、広範囲にわたる量で冷媒中に存在し得る。
【０３３３】
例えば、冷媒はＣＦ３Ｉ、ＨＦＣ−１３４ａ、及びＨＦＯ−１２３４ｙｆを含み得、ＣＦ３Ｉは、少なくとも約５重量％、少なくとも約３０重量％、又は少なくとも約５０重量％の量で存在する。
【０３３４】
冷媒は、基本的にＣＦ３Ｉ、ＨＦＣ−１３４ａ、及びＨＦＯ−１２３４ｙｆからなり得ることが認識されるであろう。冷媒は、ＣＦ３Ｉ、ＨＦＣ−１３４ａ、及びＨＦＯ−１２３４ｙｆからなり得る。
【０３３５】
本発明は、基本的にＣＦ３Ｉ、ＨＦＣ−１３４ａ、及びＨＦＯ−１２３４ｙｆからなる冷媒を含み、ＣＦ３Ｉは、少なくとも約５重量％、少なくとも約３０重量％、又は少なくとも約５０重量％の量で存在する。冷媒は、ＣＦ３Ｉ、ＨＦＣ−１３４ａ、及びＨＦＯ−１２３４ｙｆからなり得る。
【０３３６】
潤滑剤
本発明の熱伝達組成物は、本明細書に記載される冷媒と、所望により少なくとも１種の潤滑剤と、を含む。好ましくは、少なくとも１種の潤滑剤が本発明の熱伝達組成物中に存在する。
【０３３７】
存在する場合、潤滑剤は、ポリオールエステル（ＰＯＥ）、ポリアルキレングリコール（ＰＡＧ）、鉱油、アルキルベンゼン（ＡＢ）、ポリビニルエーテル（ＰＶＥ）、及びポリエステル繊維（アルファ−オレフィン）（ＰＡＯ）、及びこれらの組み合わせからなる群から選択され得る。
【０３３８】
好ましくは、存在する場合、潤滑剤は、ポリオールエステル（ＰＯＥ）である。好ましくは、潤滑剤が存在し、ＰＯＥである。
【０３３９】
潤滑剤は、本発明の熱伝達組成物中の全ての成分に基づいて、約１０〜約６０重量％、約２０〜約５０重量％、約２０〜約４０重量％、約２０〜約３０重量％、約３０〜約５０重量％、又は約３０〜約４０重量％の量で熱伝達組成物中に存在し得る。
【０３４０】
市販の鉱物油には、ＷｉｔｃｏのＷｉｔｃｏ  ＬＰ  ２５０（登録商標）、ＷｉｔｃｏのＳｕｎｉｓｏ  ３ＧＳ、及びＣａｌｕｍｅｔのＣａｌｕｍｅｔ  Ｒ０１５が含まれる。市販のアルキルベンゼン潤滑剤には、Ｓｈｒｉｅｖｅ  ＣｈｅｍｉｃａｌのＺｅｒｏｌ  １５０（登録商標）及びＺｅｒｏｌ  ３００（登録商標）が含まれる。市販のエステルには、Ｅｍｅｒｙ  ２９１７（登録商標）及びＨａｔｃｏｌ  ２３７０（登録商標）として入手可能なジペラルゴン酸ネオペンチルグリコールが含まれる。
【０３４１】
安定剤
本発明の熱伝達組成物は、本明細書に記載される冷媒を含み、加えて、安定剤を含み得る。好ましくは、安定剤は、一次酸化防止剤、ラジカルスカベンジャ、二次抗酸化剤、及びこれらの組み合わせからなる群から選択される。
【０３４２】
適切な一次酸化防止剤の例としては、フェノール化合物が挙げられる。
【０３４３】
フェノール化合物は、ヒンダードフェノールであり得る。フェノールは、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’，６，６’−テトラ−ｔｅｒｔ−ブチル−４，４’−メチレンジフェノール、及びｔ−ブチルヒドロキノンから選択される１種以上の化合物であり得る。好ましくは、フェノール化合物は、ＢＨＴである。
【０３４４】
フェノール化合物は、冷媒及び潤滑剤（存在する場合）などの熱伝達組成物中の成分の総量に対して、約０．００１重量％〜約５重量％、好ましくは約０．０１重量％〜約２重量％、より好ましくは約０．１〜１重量％の量で、熱伝達組成物中に提供され得る。
【０３４５】
適切なラジカル捕捉剤の例としては、ジエン系化合物が挙げられる。
【０３４６】
ジエン系化合物は、Ｃ３〜Ｃ１５ジエン、及び任意の２種以上のＣ３〜Ｃ４ジエンの反応によって形成された化合物を含む。好ましくは、ジエン系化合物は、アリルエーテル、プロパジエン、ブタジエン、イソプレン、及びテルペンからなる群から選択される。ジエン系化合物は、好ましくはテルペンであり、これにはテレベン、レチナール、ゲラノイル、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１が含まれるが、これらに限定されない。
【０３４７】
好ましいテルペン安定化剤は、参照により本明細書に組み込まれている、２００４年１２月１２日出願の米国仮特許出願第６０／６３８，００３号に開示されている。
【０３４８】
ジエン系化合物は、冷媒及び潤滑剤（存在する場合）の総量に対して、約０．００１重量％〜約５重量％、好ましくは約０．０１重量％〜約２重量％、より好ましくは約０．１〜１重量％の量で熱伝達組成物中に提供され得る。
【０３４９】
ラジカルスカベンジャの更なる例としては、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される窒素化合物を含む。
【０３５０】
窒素化合物は、冷媒及び潤滑剤（存在する場合）の総量に対して、約０．００１重量％〜約５重量％、好ましくは約０．０１重量％〜約２重量％、より好ましくは約０．１〜１重量％の量で熱伝達組成物中に提供され得る。
【０３５１】
適切な二次抗酸化剤の例としては、リン化合物及びアミン系化合物が挙げられる。
【０３５２】
リン化合物は、亜リン酸化合物又はリン酸化合物であり得る。本発明の目的では、亜リン酸化合物は、ジアリール、ジアルキル、トリアリール、及び／又はトリアルキルホスファイト、特にヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトから選択される１種以上の化合物、特にジフェニルホスファイトであり得る。
【０３５３】
リン酸化合物は、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェートであり得る。
【０３５４】
リン化合物は、冷媒及び潤滑剤（存在する場合）の総量に対して、約０．００１重量％〜約５重量％、好ましくは約０．０１重量％〜約２重量％、より好ましくは約０．１〜１重量％の量で熱伝達組成物中に提供され得る。
【０３５５】
アミン系化合物は、ジフェニルアミン、ｐ−フェニレンジアミン、トリエチルアミン、トリブチルアミン、ジイソプロピルアミン、トリイソプロピルアミン、及びトリイソブチルアミンから選択される１種以上の二級又は三級アミンであり得る。例えば、アミン系化合物は、アミン抗酸化剤、例えば、置換ピペリジン化合物、すなわち、アルキル置換ピペリジル、ピペリジニル、ピペラジノン、又はアルキオキシピペリジニルの誘導体、特に、２，２，６，６−テトラメチル−４−ピペリドン、２，２，６，６−テトラメチル−４−ピペリジノール；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、並びにヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）から選択される１種以上のアミン抗酸化剤であり得る。アミン系化合物は、ビス（ノニルフェニルアミン）などのアルキルジフェニルアミン又は（Ｎ−（１−メチルエチル）−２−プロピルアミンなどのジアルキルアミンであり得る。代替的には、又は更には、アミン系化合物は、フェニル−アルファ−ナフチルアミン（ｐｈｅｎｙｌ−ａｌｐｈａ−ｎａｐｈｔｈｙｌ  ａｍｉｎｅ、ＰＡＮＡ）、アルキル−フェニル−アルファ−ナフチル−アミン（ａｌｋｙｌ−ｐｈｅｎｙｌ−ａｌｐｈａ−ｎａｐｈｔｈｙｌ−ａｍｉｎｅ、ＡＰＡＮＡ）、及びビス（ノニルフェニル）アミンのうちの１種以上であり得る。好ましくは、アミン系化合物は、フェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１種以上、より好ましくはフェニル−アルファ−ナフチルアミン（ＰＡＮＡ）である。
【０３５６】
ジエン系化合物は、冷媒及び潤滑剤（存在する場合）の総量に対して、約０．００１重量％〜約５重量％、好ましくは約０．０１重量％〜約２重量％、より好ましくは約０．１〜１重量％の量で熱伝達組成物中に提供され得る。
【０３５７】
好ましくは、安定剤は、フェノール化合物を含み、好ましくはフェノール化合物は、ＢＨＴである。
【０３５８】
安定剤は、封鎖材料の性能を高めるために存在し得る。
【０３５９】
例えば、封鎖材料が金属又は金属ゼオライトを含む場合、安定剤が存在し得、安定剤は、好ましくはラジカルスカベンジャを含む。
【０３６０】
封鎖材料がイオン交換膜を備える場合、安定剤が存在し得、安定剤は、好ましくは一級酸化防止剤及び／又は二級酸化防止剤を含む。例えば、安定剤は、一級酸化防止剤及び二級酸化防止剤を含み得る。
【０３６１】
追加的な成分
本発明の熱伝達組成物は、本明細書に記載される冷媒に加えて、ある特定の機能性を増強させるか、又はそれを組成物に提供する目的で他の成分を含んでもよい。かかる他の成分又は添加剤は、染料、可溶化剤、相溶化剤、安定化剤、抗酸化剤、腐食抑制剤、極圧添加剤、及び耐摩耗添加剤のうちの１種以上を含み得る。
【０３６２】
本発明の新規及び基本的な特徴から逸脱することなく、本明細書に含まれる教示を考慮して、本明細書において言及されていない他の添加剤もまた、当業者によって、本発明の熱伝達組成物に含まれ得る。
【０３６３】
また、参照により組み込まれる米国特許第６，５１６，８３７号に開示されるように、油溶性を補助するために、界面活性剤及び可溶化剤の組み合わせが本発明の熱伝達組成物に添加され得る。
【０３６４】
熱伝達システム
本発明は、本明細書に開示される冷媒及び／又は熱伝達組成物を含む熱伝達システムを含む。本発明の好ましいシステムは、空調、冷凍及びヒートポンプシステム、吸収冷凍システム、ランキンサイクルシステム、並びにヒートパイプシステムを含む、蒸気圧縮熱伝達システムを含む。
【０３６５】
上に記載したように、本発明のシステムは、好ましくは、本発明による冷媒の少なくとも一部分と接触する封鎖材料を含み、当該接触時の当該封鎖材料の温度及び／又は当該冷媒の温度は、少なくとも約３０℃の温度である。本明細書に記載される冷媒のいずれか及び全て並びに封鎖材料のいずれか及び全ては、本発明のシステムにおいて使用することができる。
【０３６６】
代替の実施形態において、本発明のシステムは、本発明による冷媒の少なくとも一部分と接触する封鎖材料を含み、封鎖材料は、
ｉ．銅、銀、鉛、又はこれらの組み合わせを含むモレキュラーシーブ（好ましくはゼオライト）及び
ｉｉ．陰イオン交換樹脂、を組み合わせて含む。
【０３６７】
本段落で使用されるとき、「組み合わせて」という用語は、その広い意味において、当該封鎖材料の各々が、システム内の冷媒の同じ部分又は別個の部分と接触していることを含むことを意図し、また、各封鎖が、それぞれ物理的に一緒に位置する実施形態、それぞれ物理的に別々に位置する実施形態、及び物理的に別々及び物理的に一緒の組み合わせの実施形態を含むことを意図する。好ましい実施形態において、封鎖材料は、陰イオン交換樹脂と物理的に組み合わせて銅、銀、鉛、又はこれらの組み合わせを含むモレキュラーシーブ（好ましくは、ゼオライト）を含む。好ましい実施形態において、本発明のシステムは、陰イオン交換樹脂と組み合わせた、好ましくは物理的に組み合わせた、銅、銀、鉛、又はこれらの組み合わせを含むモレキュラーシーブ（好ましくは、ゼオライト）の組み合わせである、当該封鎖材料を含み、当該接触時の当該封鎖材料の温度及び／又は当該冷媒の温度は、少なくとも約３０℃の温度である。本明細書に記載される冷媒のいずれか及び全て並びに封鎖材料のいずれか及び全ては、本発明のシステムにおいて使用することができる。
【０３６８】
本件の１つの好ましい熱伝達システムは、蒸気圧縮熱伝達システムであり、これは、圧縮機と、蒸発器と、凝縮器と、を備え、それぞれがシステムの一部としての流体連通し、本発明の冷媒は、好ましくはシステムのかかる要素を接続する導管、配管、バルブ構成、マニホールディングなどよって、当該圧縮機、蒸発器、及び凝縮器の各々へと、及びそれらから循環する。当業者は、本明細書に含まれる教示及び開示を考慮して、任意の及び全ての当該システムにおいて、及び任意の熱伝達システムにおいて、本発明の封鎖材料を容易に位置させることが可能になることが想到される。好ましい実施形態において、封鎖材料は、下で示されるようにシステムの他の要素と関連している。
【０３６９】
ｉ．封鎖材料（複数可）の場所
封鎖材料は、冷媒が一定容量の封鎖材料と密着状態になり、次いで、一定容量の封鎖材料を残すことを可能にする、多孔質容器又は構造に含むことなどによって、実質的に一定容量でシステム内に含むことができる。便宜上の理由であるが、限定するものではなく、かかる構造は、本明細書では、フィルタと称される。かかるフィルタは、本発明の好ましい方法及び装置に従って使用した場合、熱伝達システム内、好ましくは蒸気圧縮熱伝達システム内の任意の地点に位置し得る。
【０３７０】
例えば、フィルタは、蒸発器と圧縮機との間の吸引ライン内に位置し得るか（図１Ａを参照されたい）、フィルタは、凝縮器と蒸発器との間の液体ライン内に位置し得るか（図２Ａを参照されたい）、又はフィルタは、圧縮機と凝縮器との間の吐出ライン内に位置し得る（図３Ａを参照されたい）。好ましい実施形態において、それらの場所における冷媒ストリームは、当該システムが動作中であるとき、少なくとも約３０℃の温度である。
【０３７１】
フィルタは、１種以上の封鎖材料を含み得る。例えば、封鎖材料の組み合わせがフィルタに存在する場合、フィルタは、（ｉ）本明細書で定義される銅又は銅合金と、（ｉｉ）本明細書で定義される銅、銀、鉛、又はこれらの組み合わせを含むモレキュラーシーブ（例えば、ゼオライト）と、を含み得る。
【０３７２】
代替的に、フィルタは、（ｉ）本明細書で定義される銅、銀、鉛、又はこれらの組み合わせを含むモレキュラーシーブ（例えば、ゼオライト）と、（ｉｉ）本明細書で定義される陰イオン交換樹脂と、を含み得る。
【０３７３】
代替的に、フィルタは、（ｉ）本明細書で定義される銅又は銅合金と、（ｉｉ）本明細書で定義される陰イオン交換樹脂と、を含み得る。
【０３７４】
フィルタが蒸発器と圧縮機との間の吸引ライン内に位置する場合、フィルタは、好ましくは本明細書で定義される陰イオン交換樹脂を含む。
【０３７５】
フィルタが凝縮器と蒸発器との間の液体ライン内に位置する場合、フィルタは、好ましくは、本明細書で定義される陰イオン交換樹脂、又は銅、銀、鉛、若しくはこれらの組み合わせを含むモレキュラーシーブ（例えば、ゼオライト）を含む。
【０３７６】
フィルタが圧縮機と凝縮器の間の吐出ライン内に存在する場合、フィルタは、好ましくは、本明細書で定義される銅若しくは銅合金、又は本明細書で定義される銅、銀、鉛、若しくはこれらの組み合わせを含むモレキュラーシーブ（例えば、ゼオライト）を含む。
【０３７７】
上に記載したように、本発明では、封鎖材料の組み合わせが使用され得る。２種以上の封鎖材料が使用される場合、それらは、蒸気圧縮熱伝達システム内の同じ場所内で（例えば、同じフィルタ内で）で使用され得、及び／又はそれらは、蒸気圧縮熱伝達システムの異なる場所内で（例えば、異なるフィルタ内で）使用され得る。
【０３７８】
例えば、封鎖材料が凝縮器と蒸発器との間の液体ライン内のフィルタ内に存在する場合、封鎖材料は、本明細書で定義される陰イオン交換樹脂及びモレキュラーシーブ（例えば、ゼオライト）の組み合わせを含み得る。好ましくは、封鎖材料が凝縮器と蒸発器との間の液体ライン内のフィルタ内に存在する場合、封鎖材料は、本明細書で定義される陰イオン交換樹脂と、モレキュラーシーブ（例えば、ゼオライト）との組み合わせであり得る。
【０３７９】
封鎖材料が圧縮機と凝縮器との間の吐出ライン内のフィルタ内に存在する場合、封鎖材料は、本明細書で定義される銅又は銅合金と、モレキュラーシーブ（例えば、ゼオライト）との組み合わせを含み得る。好ましくは、封鎖材料が圧縮機と凝縮器との間の吐出ライン内のフィルタ内に存在する場合、封鎖材料は、本明細書で定義される銅又は銅合金と、モレキュラーシーブ（例えば、ゼオライト）との組み合わせであり得る。
【０３８０】
２種以上の封鎖材料が使用される場合、蒸気圧縮熱伝達システムは、２つ以上のフィルタを備え得る。
【０３８１】
例えば、第１のフィルタは、蒸発器と圧縮機の間の吸引ライン内に位置し得、第２のフィルタは、凝縮器と蒸発器の間の液体ライン内に位置し得る（図３Ｂを参照されたい）。
【０３８２】
２つ以上のフィルタが存在する場合、各フィルタは、１種以上の封鎖材料を含み得ることが認識されるであろう。
【０３８３】
例えば、第１及び第２のフィルタが存在する場合、第１のフィルタは、本明細書で定義される陰イオン交換樹脂を備え得、第２のフィルタは、本明細書で定義される銅、銀、鉛、又はこれらの組み合わせを含むモレキュラーシーブ（例えば、ゼオライト）を含み得る。第１のフィルタは、蒸発器と圧縮機との間の吸引ライン内に位置し得、第２のフィルタは、凝縮器と蒸発器との間の液体ライン内に位置し得る。
【０３８４】
第１及び第２のフィルタが存在する場合、第１のフィルタは、本明細書で定義される陰イオン交換樹脂を備え得、第２のフィルタは、本明細書で定義される銅、銀、鉛、又はこれらの組み合わせを含むモレキュラーシーブ（例えば、ゼオライト）又は、銅若しくは銅合金を含み得る。第１のフィルタは、蒸発器と圧縮機との間の吸引ライン内に位置し得、第２のフィルタは、圧縮機と凝縮器との間の吐出ライン内に位置し得る。
【０３８５】
ｉｉ．機器
本明細書で詳述されるように、本熱伝達システムの蒸気圧縮の実施形態は、圧縮機と、蒸発器と、凝縮器と、を備える。一般的に使用される圧縮機の例としては、往復動式、回転式（ローリングピストン及び回転ベーンを含む）、スクロール式、ねじ式、及び遠心式圧縮機が挙げられる。
【０３８６】
蒸発器及び凝縮器の各々は、熱交換器であり、かかる熱交換器の各々は、好ましくはフィンチューブ型熱交換器、マイクロチャネル熱交換器、シェルアンドチューブ式、プレート式熱交換器、及びチューブインチューブ式熱交換器から独立して選択されることが認識されるであろう。
【０３８７】
蒸気圧縮熱伝達システムは、膨張デバイスを備え得る。一般的に使用される膨張デバイスの例としては、キャピラリーチューブ、固定オリフィス、熱膨張弁、及び電子拡張弁が挙げられる。
【０３８８】
好ましい蒸気圧縮熱伝達システムとしては、移動式及び固定式空調システムを含む、空調システムが挙げられる。空調システムは、
−モバイル空調、特に自動車用空調を含む、空調用途、
−冷却器、特に容積型冷却器、とりわけ空冷又は水冷直接膨張式冷却器（モジュラー式であるか又は従来法で単独包装されているかのいずれか）、
−住宅用空調システム、特にダクトスプリット型又はダクトレススプリット型空調システム、
−産業用空調システム、並びに
−パッケージ式ルーフトップユニット又は可変冷媒流（ｖａｒｉａｂｌｅ  ｒｅｆｒｉｇｅｒａｎｔ  ｆｌｏｗ、ＶＲＦ）システム、のうちのいずれか１つであり得る。
【０３８９】
蒸気圧縮熱伝達システムは、ヒートポンプであり得る。ヒートポンプは、
−モバイルヒートポンプ、特に電気自動車用ヒートポンプ；
−住宅用ヒートポンプ、
−住宅用空気−水ヒートポンプ／循環水式システム、及び
−商用の空気熱源、水熱源、又は土壌熱源ヒートポンプシステム、のうちのいずれか１つであり得る。
【０３９０】
蒸気圧縮熱伝達システムは、冷凍システムであり得る。「冷凍システム」という用語は、冷却を提供するために冷媒を用いる任意のシステム若しくは装置、又はかかるシステム若しくは装置の任意の部品若しくは部分を指す。したがって、冷凍システムは、
−低温冷凍システム、
−中温冷凍システム、
−商用冷蔵庫、
−商用冷凍庫、
−製氷機、
−自動販売機、
−輸送冷凍システム、
−家庭用冷凍庫、
−家庭用冷蔵庫、
−産業用冷凍庫、
−産業用冷蔵庫、及び
−冷却器、のうちのいずれか１つであり得る。
【０３９１】
住宅用空調システムは、冷却のために約０〜約１０℃の範囲、好ましくは７℃、及び／又は加熱のために約−３０℃〜約５℃の範囲、特に約０．５℃の蒸発器温度を有し得る。住宅用空調システムは、往復式、回転式（ローリングピストン及び回転ベーン）、又はスクロール式圧縮機を有し得る。典型的なシステムの種類は、ダクトスプリット型、ダクトレススプリット型、ウィンドウ型、及びポータブル型空調システムである。システムは通常、空気−冷媒蒸発器（室内コイル）、圧縮機、空気−冷媒凝縮器（室外コイル）、及び膨張デバイスを有する。蒸発器及び凝縮器は通常、フィンチューブ式又はマイクロチャネル熱交換器である。
【０３９２】
空冷式冷却器は、約０〜約１０℃の範囲、特に約４．５℃の蒸発器温度を有し得る。空冷式冷却器は、容積式圧縮機、より詳しくは往復動式又はスクロール式圧縮機を有する空冷式冷却器を有し得る。
【０３９３】
住宅用ヒートポンプシステムは、冬季に、温風（当該空気は、例えば、約１８℃〜約２４℃、特に約２１℃の温度を有する）を建物内に供給するために使用され得る。これは通常、住宅用空調システムと同じシステムであるが、ヒートポンプシステムでは冷媒流が反転し、室内コイルが凝縮器となり、室外コイルが蒸発器となる。典型的なシステムの種類は、ダクトスプリット型及びダクトレススプリット型ヒートポンプシステムである。蒸発器及び凝縮器は、通常、フィン式又はマイクロチャネル熱交換器である。
【０３９４】
住宅用空気−水ヒートポンプ温水システムは、約−３０〜約５℃の範囲、特に約０．５℃の蒸発器温度を有し得る。
【０３９５】
中温冷凍システムは、約−１２〜約０℃の範囲、特に約−８℃の蒸発器温度を有し得る。中温冷凍システムは、好ましくは、冷蔵庫又はボトルクーラーなどにおいて食品又は飲料を冷却するために使用される。システムは通常、食べ物又は飲み物を冷やすための空気−冷媒蒸発器、往復動式、スクロール式、又はねじ式圧縮機、熱を周囲空気と交換するための空気−冷媒凝縮器、及び温度膨張弁又は電子膨張弁を有する。
【０３９６】
中温冷凍システムは、約−４０〜約−１２℃の範囲、特に約−２３℃の蒸発器温度であり得る。低温冷凍システムは、好ましくは、冷凍庫又はアイスクリームマシンにおいて使用される。システムは通常、空気−冷媒蒸発器、往復動式、スクロール式、又はねじ式圧縮機、熱を周囲空気と交換するための空気−冷媒凝縮器、及び温度膨張弁又は電子膨張弁を有する。
【０３９７】
商用空調システムは、オフィス及び病院などの大きな建物に冷水（当該水は、例えば約７℃の温度を有する）を供給するために使用される冷却器であり得る。用途に応じて、冷却器システムは通年稼働している場合がある。冷却器システムは、空冷式又は水冷式であり得る。空冷式冷却器は通常、冷水を供給するためのプレート、チューブインチューブ式、又はシェルアンドチューブ式蒸発器、往復動式又はスクロール式圧縮機、熱を周囲空気と交換するためのフィンチューブ式又はマイクロチャネル凝縮器、及び温度膨張弁又は電子膨張弁を有する。水冷式システムは、通常、冷水を供給するためのシェルアンドチューブ式蒸発器、往復運動、スクロール式、ねじ式、又は遠心式圧縮機、熱を冷却塔又は湖、海、及び他の天然源からの水と交換するためのシェルアンドチューブ式凝縮器を有する。
【０３９８】
また、本明細書に記載される封鎖材料は、ＣＦ３Ｉを含む組成物が熱伝達システムの二次ループ内の熱伝達流体として使用される場合の設備を有し得ることも認識されるであろう。
【０３９９】
熱伝達組成物
上で述べたように、本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％の低級アルキルヨードフルオロカーボンと、
（ｂ）（冷媒の重量に基づいて）約１１００ｐｐｍ以下のヨウ化物、より好ましくは約３０００ｐｐｍ以下、より好ましくは約２０００ｐｐｍ以下、及び更により好ましくは約１０００ｐｐｍ以下のヨウ化物と、を含む。
【０４００】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％の低級アルキルヨードフルオロカーボンと、
（ｂ）（冷媒の重量に基づいて）約１１００ｐｐｍ以下のヨウ化物、より好ましくは約１０００ｐｐｍ以下、より好ましくは約９００ｐｐｍ以下、及び更により好ましくは約８００ｐｐｍ以下のヨウ化物と、を含む。
【０４０１】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％の低級アルキルヨードフルオロカーボンと、
（ｂ）（冷媒の重量に基づいて）約１１００ｐｐｍ以下のヨウ化物、より好ましくは約１０００ｐｐｍ以下、より好ましくは約９００ｐｐｍ以下、及び更により好ましくは約８００ｐｐｍ以下のヨウ化物と、を含む。
【０４０２】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％のＣＦ３Ｉと、
（ｂ）（冷媒の重量に基づいて）約１１００ｐｐｍ以下のヨウ化物、より好ましくは約１０００ｐｐｍ以下、より好ましくは約９００ｐｐｍ以下、及び更により好ましくは約８００ｐｐｍ以下のヨウ化物と、を含む。
【０４０３】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％のＣＦ３Ｉと、
（ｂ）（冷媒の重量に基づいて）約１１００ｐｐｍ以下のヨウ化物、より好ましくは約１０００ｐｐｍ以下、より好ましくは約９００ｐｐｍ以下、及び更により好ましくは約８００ｐｐｍ以下のヨウ化物と、を含む。
【０４０４】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）（冷媒の重量に基づいて）約１１００ｐｐｍ以下のヨウ化物、より好ましくは約１０００ｐｐｍ以下、より好ましくは約９００ｐｐｍ以下、及び更により好ましくは約８００ｐｐｍ以下のヨウ化物と、を含む。
【０４０５】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４０６】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４０７】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４０８】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４０９】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１０】
好ましい実施形態において、本発明は、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１１】
本発明はまた、少なくとも約２年にわたって動作している熱伝達システム内を循環する熱伝達組成物も含み、当該熱伝達組成物は、
（ａ）少なくとも約５重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１２】
好ましい実施形態において、本発明、少なくとも約２年にわたって動作している熱伝達システム内を循環する熱伝達組成物も含み、当該熱伝達組成物は、
（ａ）少なくとも約２５重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１３】
好ましい実施形態において、本発明、少なくとも約２年にわたって動作している熱伝達システム内を循環する熱伝達組成物も含み、当該熱伝達組成物は、
（ａ）少なくとも約５０重量％の低級アルキルヨードフルオロカーボンと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１４】
本発明はまた、少なくとも約２年にわたって動作している熱伝達システム内を循環する熱伝達組成物も含み、当該熱伝達組成物は、
（ａ）少なくとも約５重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１５】
好ましい実施形態において、本発明、少なくとも約２年にわたって動作している熱伝達システム内を循環する熱伝達組成物も含み、当該熱伝達組成物は、
（ａ）少なくとも約２５重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１６】
好ましい実施形態において、本発明、少なくとも約２年にわたって動作している熱伝達システム内を循環する熱伝達組成物も含み、当該熱伝達組成物は、
（ａ）少なくとも約５０重量％のＣＦ３Ｉと、
（ｂ）約５００ｐｐｍ以下のフッ化物、より好ましくは約４００ｐｐｍ以下、より好ましくは約２５０ｐｐｍ以下、更により好ましくは約１００ｐｐｍ以下のフッ化物と、含む。
【０４１７】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％の低級アルキルヨードフルオロカーボンと、
（ｂ）約５００ｐｐｍ以下のフッ化物と、
（ｃ）（冷媒の重量に基づいて）約１１００ｐｐｍ以下のヨウ化物と、を含む。
【０４１８】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％の低級アルキルヨードフルオロカーボンと、
（ｂ）約４００ｐｐｍ以下のフッ化物と、
（ｃ）約３０００ｐｐｍ以下のヨウ化物と、を含む。
【０４１９】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５重量％の低級アルキルヨードフルオロカーボンと、
（ｂ）約１０００ｐｐｍ以下のフッ化物と、
（ｃ）約１００ｐｐｍ以下のヨウ化物と、を含む。
【０４２０】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％のＣＦ３Ｉと、
（ｂ）約５００ｐｐｍ以下のフッ化物と、
（ｃ）（冷媒の重量に基づいて）約１１００ｐｐｍ以下のヨウ化物と、を含む。
【０４２１】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％のＣＦ３Ｉと、
（ｂ）約２００ｐｐｍ以下のフッ化物と、
（ｃ）約２０００ｐｐｍ以下のヨウ化物と、を含む。
【０４２２】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約２５重量％のＣＦ３Ｉと、
（ｂ）約１００ｐｐｍ以下のフッ化物と、
（ｃ）約１０００ｐｐｍ以下のヨウ化物と、を含む。
【０４２３】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約５００ｐｐｍ以下のフッ化物と、
（ｃ）（冷媒の重量に基づいて）約１１００ｐｐｍ以下のヨウ化物と、を含む。
【０４２４】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約４００ｐｐｍ以下のフッ化物と、
（ｃ）（冷媒の重量に基づいて）約１１００ｐｐｍ以下のヨウ化物と、を含む。
【０４２５】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約３００ｐｐｍ以下のフッ化物と、
（ｃ）約２０００ｐｐｍ以下のヨウ化物と、を含む。
【０４２６】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％の低級アルキルヨードフルオロカーボンと、
（ｂ）約２００ｐｐｍ以下のフッ化物と、
（ｃ）約１０００ｐｐｍ以下のヨウ化物と、を含む。
【０４２７】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約５００ｐｐｍ以下のフッ化物と、
（ｃ）（冷媒の重量に基づいて）約１１００ｐｐｍ以下のヨウ化物と、を含む。
【０４２８】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約４００ｐｐｍ以下のフッ化物と、
（ｃ）（冷媒の重量に基づいて）約１０００ｐｐｍ以下のヨウ化物と、を含む。
【０４２９】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約３００ｐｐｍ以下のフッ化物と、
（ｃ）約２０００ｐｐｍ以下のヨウ化物と、を含む。
【０４３０】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約２００ｐｐｍ以下のフッ化物と、
（ｃ）約１０００ｐｐｍ以下のヨウ化物と、を含む。
【０４３１】
本発明はまた、設置されて少なくとも約１年、より好ましくは少なくとも約２年、更により好ましくは少なくとも約５年にわたって動作している熱伝達システム内を循環する熱伝達組成物も含み、当該熱伝達組成物は、
（ａ）少なくとも約５０重量％のＣＦ３Ｉと、
（ｂ）約１００ｐｐｍ以下のフッ化物と、
（ｃ）約１０００ｐｐｍ以下のヨウ化物と、を含む。
【０４３２】
冷媒及び潤滑剤は、本明細書に記載されるもののうちのいずれかであり得る。組成物は、加えて、本明細書で定義される安定剤を含み得る。組成物は、基本的に冷媒、及び潤滑剤、及び安定剤（存在する場合）からなり得る。
【０４３３】
封鎖材料は、本明細書で定義されるものであり得る。
【０４３４】
フッ化物及び／又はヨウ化物の濃度は、Ｄｉｏｎｅｘ（登録商標）ＩＣＳ−２０００イオンクロマトグラフシステムを使用して測定され得る。例えば、フッ化物及び／又はヨウ化物の濃度は、以下の例示的な方法に従って測定され得る。
【０４３５】
フッ化物及び／又はヨウ化物の濃度を決定するための例示的な方法
機器：
ＤＩＯＮＥＸイオンクロマトグラフは、以下を含む：
【０４３６】
［表Ａ］
2020535370.tif 000003
【０４３７】
天秤：０．５０００ｇ±０．０００１ｇで重量を測定することができる分析用天秤
５ｍＬのＢ−Ｄプラスチック使い捨て試料シリンジ
Ｇｅｌｍａｎ  ＩＣ  ＡＣＲＯＤＩＳＣ（登録商標）（０．２ミクロン）シリンジフィルタ、Ｆｉｓｃｈｅｒ  Ｓｃｉｅｎｔｉｆｉｃ  Ｐ／Ｎ０９−７３０−２５７又は同等物
【０４３８】
試薬：全ての試薬は、別途指定されない限り、試薬グレードである。水は、ＡＳＴＭ  ＩＩ型の品質以上であり（最小１０メガオーム／ｃｍの抵抗、理想的には１７〜１８メガオーム／ｃｍの抵抗）、検出可能な塩素又は塩化物を伴わない。窒素、最小１０ｐｓｉ。Ｄｉ（脱イオン）水をブランケットして、炭酸吸着を回避する。
【０４３９】
標準：＃１）Ｄｉｏｎｅｘ  Ｆｉｖｅ  陰イオン標準、製品番号０３７１５７、＃２）ＡｃｃｕＳｔａｎｄａｒｄ、１００ｕｇ／ｍＬギ酸塩標準品、製品番号ＩＣ−ＦＯＲＭ−１Ｘ−１、＃３）ＡｃｃｕＳｔａｎｄａｒｄ、１０００ｕｇ／ｍＬ酢酸塩標準品、製品番号ＩＣ−ＡＣＥＴ−１０Ｘ−１。
【０４４０】
動作手順：
ＩＣＳ  ２０００ポンプ設定；流量−１．０ｍＬ／分；最大ｐｓｉ−３０００ｐｓｉ；典型的なｐｓｉ−１９００ｐｓｉ
ＩＣＳ  ２０００溶離剤発生器の設定：濃度−７．００〜４５．００ｍＭ；カートリッジタイプ−ＥｌｕＧｅｎ＿ＯＨ
【０４４１】
溶離剤プログラム：
−７．００分＝７．００ｍＭ  ＫＯＨ
０．０分＝７．００ｍＭ  ＫＯＨ／注入
５．０分＝７．００ｍＭ  ＫＯＨ
３０．０分＝４５．００ｍＭ  ＫＯＨ
４４．００分＝４５．００ｍＭ  ＫＯＨ
４５．００分＝７．００ｍＭ  ＫＯＨ
【０４４２】
ＩＣＳ  ２０００検出器の設定：Ｓｕｐｐ．タイプ−ＡＳＲＳ  ４ｍｍ；ＳＲＳ電流−１２０ｍＡ；範囲−１０μｓ；セル温度−３５℃；温度補正器−１．７％／℃；自動ゼロ−稼働開始時。
【０４４３】
インテグレータの設定：注入サイズ−２０μＬ
【０４４４】
標準溶液調製：
１０００μＬの標準＃１及び標準＃２をピペットで、及び１００μＬの標準＃３をピペットで、１００ｍＬのメスフラスコに移し、次いで、脱イオン水でマークまで希釈する。必要に応じて、他の有機酸を標準溶液に加えてもよい。
【０４４５】
試料調製
１００ｍＬメスフラスコの風袋を計り、約１．０００±０．００１ｍｇの試料を軽量してフラスコに入れる。脱イオン水を使用して規定容量まで希釈し、十分入念に混合する。Ｇｅｌｍａｎ０．２ミクロンシリンジフィルタを通して、Ｄｉｏｎｅｘ  ５ｍＬオートサンプラバイアルの中へ溶液を直接濾過する。
【０４４６】
イオンクロマトグラフィ（ＩＣ）法
上に列記した動作条件を使用してＩＣを準備し、検出器で一貫した伝導度が得られ、安定したベースラインが得られるまで、イオンクロマトグラフを平衡化する。標準＃１、＃２、及び＃３を注入することによってシステムを較正する。
【０４４７】
システムを較正した後に、脱イオン水を使用してブランク試料にて実行し、使用する希釈水中に塩素が含有されないことを確実にする。
【０４４８】
次いで、全ての試料を注入して、２回分析する。機器は、マイクログラム／グラムで試料中の陰イオン及び有機酸の量を報告する。２つの試料の平均を報告する。
【０４４９】
図面の簡単な説明
図１Ａは、圧縮機と、蒸発器と、凝縮器と、を備える例示的な蒸気圧縮熱伝達システムの概略図を示す。システムは、蒸発器と圧縮機との間の吸引ライン内にフィルタも含む。
【０４５０】
フィルタは、封鎖材料を含有する。フィルタは、１種以上の封鎖材料を含み得る。例えば、フィルタは、陰イオン交換樹脂を含み得る。
【０４５１】
蒸気圧縮熱伝達システムが空調システムである場合、吸引ラインの温度は、約５℃〜約２０℃の範囲であり得る。
【０４５２】
図１Ｂは、例示的なフィルタの概略図である。フィルタは、蒸発器と圧縮機との間の吸引ライン内（すなわち、図１Ａに記載される装置内）で使用され得る。
【０４５３】
ダクトレスミニスプリット空調システムなどの空調システムは、吸引ライン内にアキュムレータを有し得る。したがって、アキュムレータは、封鎖材料を組み込むために、図１Ｂに示されるように改良され得る。例えば、フィルタは、陰イオン交換樹脂を含み得る。
【０４５４】
冷媒（主に蒸気）及び潤滑剤を含有する組成物は、入口チューブを通ってフィルタの中へ流れ得る。冷媒蒸気は、出口チューブを通ってフィルタを出る。潤滑剤は、フィルタの基部において封鎖材料を通過し、出口チューブの中への潤滑剤戻り孔を通過することによってフィルタを出得る。
【０４５５】
好ましくは、潤滑剤戻り孔のレベルは、フィルタ内の封鎖材料のレベルよりも高い。かかる構成において、潤滑剤は、潤滑剤のレベルが潤滑剤戻り孔を通過するのに十分高くなるまで、封鎖材料を有するフィルタの基部に保持される。
【０４５６】
図２Ａは、圧縮機と、蒸発器と、凝縮器と、を備える例示的な蒸気圧縮熱伝達システムの概略図である。本システムはまた、蒸発器と凝縮器との間の液体ライン内にフィルタも含む。
【０４５７】
フィルタは、封鎖材料を含有する。フィルタは、１種以上の封鎖材料を含み得る。例えば、フィルタは、陰イオン交換樹脂、又は銅、銀、鉛、若しくはこれらの組み合わせを含む金属ゼオライトを含み得る。フィルタは、陰イオン交換樹脂と、銅、銀、鉛、又はこれらの組み合わせを含む金属ゼオライトと、を含み得る。
【０４５８】
蒸気圧縮熱伝達システムが空調システムである場合、液体ラインの温度は約３５℃〜約６５℃の範囲であり得る。
【０４５９】
図２Ｂは、例示的なフィルタの概略図である。フィルタは、蒸発器と凝縮器との間の液体ライン内（すなわち、図２Ａに記載される装置内）で使用され得る。
【０４６０】
空調システムは、典型的に、液体ライン内に乾燥機を備える。したがって、乾燥機は、封鎖材料を組み込むために、図２Ｂに示されるように改良され得る。例えば、フィルタは、陰イオン交換樹脂と、銅、銀、鉛、又はこれらの組み合わせを含む金属ゼオライトと、を含み得、又はフィルタは、陰イオン交換樹脂と、銅、銀、鉛、又はこれらの組み合わせを含む金属ゼオライトとの組み合わせを含み得る。
【０４６１】
冷媒及び所望により潤滑剤を含有する組成物は、入口チューブを通ってフィルタの中へ流れ得、フィルタを通過するときに封鎖材料に接触し、そして、出口チューブを通って出得る。
【０４６２】
図３Ａは、圧縮機と、蒸発器と、凝縮器と、を備える例示的な蒸気圧縮熱伝達システムの概略図である。本システムはまた、圧縮機と凝縮器との間の吐出ライン内にフィルタも含む。
【０４６３】
フィルタは、封鎖材料を含有する。フィルタは、１種以上の封鎖材料を含み得る。例えば、フィルタは、銅、銀、鉛、又はこれらの組み合わせから選択される金属を含み得る。
【０４６４】
蒸気圧縮熱伝達システムが空調システムであるときに、吐出ラインの温度は、約８０℃〜約１５０℃の範囲であり得る。
【０４６５】
図３Ｂは、圧縮機と、蒸発器と、凝縮器と、を備える例示的な蒸気圧縮熱伝達システムの概略図である。本システムはまた、圧縮機と蒸発器との間の吸引ライン内に第１のフィルタ、及び凝縮器と蒸発器との間の液体ライン内に第２のフィルタも含む。
【０４６６】
第１のフィルタ及び第２のフィルタは、封鎖材料を含む。第１のフィルタの封鎖材料は、第２のフィルタの封鎖材料と同じであり得るか、又は異なり得る。第１のフィルタは、封鎖材料の組み合わせを含み得る。第２のフィルタは、封鎖材料の組み合わせを含み得る。
【０４６７】
例えば、第１のフィルタは、陰イオン交換樹脂を含み得る。第２のフィルタは、銅、銀、鉛、又はこれらの組み合わせを含む金属ゼオライトを含み得る。第２のフィルタは、陰イオン交換樹脂と、銅、銀、鉛、又はこれらの組み合わせを含む金属ゼオライトと、を含み得る。
【０４６８】
フィルタアセンブリ
図４は、本開示によるフィルタアセンブリ４００を表す。フィルタアセンブリ４００は、空調、冷凍、及びヒートポンプアプリケーションを含む、蒸気圧縮熱伝達システムにおいて有用性を有する。
【０４６９】
蒸気圧縮熱伝達システムは、典型的に、フィルタ／封鎖材料を備える。この材料は、経時的に飽和状態になり、したがって、その有効性を失い得る。いくつかのシステム、例えば住宅用システムでは、材料が飽和した時点で、その材料を交換することが困難であり得る。例えば、いくつかの以前のシステムにおいてフィルタを交換するには、接続しているラインを、例えば液体ラインフィルタの場合は液体ラインを切断して、フィルタを取り外し、そして、新しいフィルタを接続しなければならない。かかるシステム内のフィルタの交換は、しばしば、作業の複雑さのため、専門業者によって監督する必要があり、これは、時間、費用がかかり、例えば住宅用システムの所有者には都合が悪い。
【０４７０】
提案されるフィルタは、新鮮なフィルタ材料を、フィルタ材料を通過する流体に導入するために、回転させる、又は別様には移動及び／又は作動させることができる。いくつかの実施形態では、フィルタは、フィルタ材料を含む複数の区画を含むように区画化される。区画化したフィルタは、特定の区画内のフィルタ材料が飽和した後に、又は材料が飽和する前に、回転させることができる。次いで、新しいフィルタ材料を有する新しい区画が、冷媒−油の流れに曝露される。フィルタを回転させて、新しいフィルタ材料を流体流に曝露することは、ユーザによって手動で、又は適切な機構によって自動的に行うことができる。このようにして、好都合で費用効果的なフィルタアセンブリがユーザに提供される。
【０４７１】
フィルタアセンブリ４００は、流体入口４１０と、出口４７０と、濾過ユニット４４０と、を備える。濾過ユニット４４０は、円筒形状である。濾過ユニット４４０は、本開示の封鎖材料を含む少なくとも１つのフィルタ区画４４４を備える。フィルタ区画４４４はまた、フィルタチャンバとも称される。濾過ユニット４４０は、好ましくは、複数のフィルタ区画４４４を備え、フィルタ区画の各々は、本明細書に開示される封鎖材料を含む。
【０４７２】
フィルタアセンブリ４００は、入口チャンバ４２０を備え、その中には、流体が流体入口４１０を経由して流れ得る。流体入口４１０は、流体を入口チャンバ４２０の中へ提供するように構成及び配設される。流体は、本開示の冷媒を含み得、所望により潤滑剤及び／又は安定剤を含み得る。好ましくは、潤滑剤が存在する。
【０４７３】
フィルタアセンブリ４００は、濾過ユニット４４０に対して移動させることができる作動可能要素４３０を備える。作動可能要素４３０は、濾過ユニット４４０に対して回転可能であり、したがって、回転要素と称され得る。図４の作動可能要素４３０は、回転プレートである。回転プレートは、円筒形状であり、開口の形態で流体流領域を備える。流体流領域は、流体が濾過ユニットに進入することを可能にし、したがって、作動可能要素入口と称され得る。このようにして、作動可能要素４３０は、濾過ユニット入口４３２を備える。作動可能要素４３０は、濾過ユニット４４０に対して作動させて、例えば回転させて、作動可能要素入口４３２と濾過ユニット内に備えられた封鎖材料の異なる領域とを整列させることができる。特に、作動可能要素４３０は、下で更に詳細に論じるように、濾過ユニット入口４３２が濾過ユニット４４０の異なるフィルタ区画４４４と整列されるように作動させることができる。作動可能要素４３０はまた、遮断領域も備える。遮断領域がフィルタ区画と整列されると、流体は、ブロックされたフィルタ区画を通って入口から出口へと流れることができない。作動可能要素４３０を濾過ユニット全体よりも小さくすることができること、又は別様にそれを容易に作動／回転させることができることが認識されるように、このようにして作動可能要素４３０を使用することは、有利である。
【０４７４】
フィルタ区画４４４の提供は、有利である。濾過ユニットが、フィルタ材料を備える単一の大きい区画を有する場合、作動可能要素入口４３２と濾過ユニット４４０との間の回転を生じさせることは、新しいフィルタ材料が流体流に導入されることを意味する。しかしながら、かかるフィルタ区画は、比較的大きい場合があり、流体がフィルタアセンブリの中へ流れるときに必要な圧力を維持することを困難にする。区画化されたフィルタを提供することによって、各区画のサイズは、流体が濾過ユニットの中へ流れるときに必要な圧力を維持するように設計することができる。作動可能要素４３０は、ユーザグリップ領域及び／又はハンドル４３６を備える。ユーザは、濾過ユニット入口４３２と濾過ユニットの異なるフィルタ区画との整列を生じさせるために、ユーザグリップ領域及び／又は４３６を使用して、作動可能要素４３０を手動で作動させることができる。
【０４７５】
作動可能要素４３０は、濾過ユニットと同軸に配設される。濾過ユニット４４０は、複数のフィルタ区画４４４を備える。濾過ユニット４４０は、円筒形状であり、断面は、円形である。濾過区画は、濾過区画の断面がセクタ又は「楔」形状であるように、濾過ユニット内に配設される。複数のフィルタ区画の各フィルタ区画は、封鎖材料を含む。各フィルタ区画は、フィルタアセンブリ４００が使用中であるときの流体流の方向によって画定される、入口端部と、出口端部と、を備える。
【０４７６】
フィルタアセンブリ４００は、弁要素４５０を更に備える。弁要素４５０は、シャッタ又はシャッタ要素とも称され得る。シャッタは、逆止め弁又は一方向弁とも称され得る。弁要素４５０は、濾過区画４４４の出口端部と出口４７０との中間に配設される。弁要素４５０は、濾過ユニット内の正圧に応じて開く。より詳細には、弁要素４５０は、濾過区画の少なくとも１つ内の圧力が圧力閾値に到達することに応じて、流体流を可能にするように開く。弁要素４５０は、その内圧が圧力閾値に到達した特定のフィルタ区画の出口端部の領域のみが開き、一方で、その内圧が圧力閾値に到達していないフィルタ区画４４４の出口端部の領域は閉じたままである。当業者によって認識されるように、弁要素４５０は、任意の適切な形態であり得、弁アセンブリ又は他の弁の配置であり得る。弁要素４５０は、それぞれがフィルタ区画４４４の出口端部の形状及びサイズに対応する形状及びサイズを有する断面を有し得る。例えば、フィルタ区画４４４の出口端部が「楔形状」である図４の実施形態において、弁要素４５０は、各々を互いに独立に開き及び閉じ得る楔形断面を有し得、よって、弁要素は、流体がフィルタ区画４４４の１つ以上を通って流れることを可能にし得るが、流体流は、１つ以上の他のフィルタ区画４４４を通して弁要素４５０によって遮断されたままである。簡単な実施形態において、弁要素は、弾性フラップを含み得、これは、静置位置では、流体流がフィルタ区画４４４を通して遮断されるように、弁要素に対して平らなままである。特定のフィルタ区画４４４において圧力閾値に到達すると、特定のフィルタ区画４４４の内圧が作用して、フラップを開放位置へと押し開き、開放位置において、流体は、弁要素４５０を通って、出口チャンバ４６０の中へ流れることができる。圧力が閾値未満に下降すると、フラップが休止位置へと戻り、したがって再度バルブを閉じる。
【０４７７】
フィルタアセンブリ４００は、出口チャンバ４６０を更に備える。出口チャンバ４６０は、出口４６０を含み得る。流体は、弁要素４５０を通過して、出口チャンバ４６０の中へ入り得る。
【０４７８】
使用中に、流体は、入口チャンバ４２０を通過して流体入口４１０の中へ入る。次いで、流体は、濾過ユニット入口４３２を通過し、選択したフィルタ区画４４２の中へ入る。選択したフィルタ区画４４２は、１つのフィルタ区画又は複数のフィルタ区画であり、この区画は、流体が、濾過ユニット入口４３２から、選択したフィルタ区画４４２を通って、出口４７０へと通過し得るように、濾過ユニット入口４３２及び出口４７０と流体連通している。濾過ユニット入口４３２は、選択したフィルタ区画４４２の入口端部と整列され、したがって、流体が、選択したフィルタ区画４４２の中へ流れることを可能にする。作動可能要素４３０は、濾過ユニット４３０の他のフィルタ区画４４４を遮断及び／又は閉塞し、したがって、流体がこれらの遮断されたフィルタ区画４４４の中へ流入することを可能にしない。
【０４７９】
流体が選択したフィルタ区画４４２を通過するとき、封鎖材料は、ハロゲン又はハロゲン化物イオン（例えばフッ化物、ヨウ化物又はヨウ素）を封鎖又は排出するように作用する。
【０４８０】
選択したフィルタ区画４４２への流体流として、圧力は、選択されたフィルタ区画４４２内に蓄積する。選択したフィルタ区画４４２内の圧力が閾値圧力に到達すると、弁要素４５０は、選択したフィルタ区画４４２の出口端部領域において開き、したがって、流体が、選択したフィルタ区画４４２から出口チャンバ４６０の中へ、そして最後に出口４７０の外へ、したがって、フィルタアセンブリ４００の外へ流れ、そして、熱交換システムの中へ戻ることを可能にする。
【０４８１】
特定の実施形態の上の説明は一例に過ぎず、本開示の範囲を限定することを意図しないことが理解されるであろう。記載されている実施形態の数多くの変形例が想定され、本開示の範囲内にあることを意図する。
【０４８２】
例えば、濾過ユニットと濾過ユニット入口との間に相対回転を生じさせることが、主に、濾過ユニット入口を備える回転プレートを回転させることに関連して記載されているが、フィルタユニット自体をフィルタユニット入口に対して回転させることができることが認識されるであろう。
【０４８３】
むしろ、複数のフィルタ区画を有することで、フィルタユニティは、ただ１つのフィルタ区画を有し得る。そのような一実施形態において、回転プレート／作動可能要素を回転させると、封鎖材料の異なる領域が、濾過ユニット入口と整列される。したがって、フィルタユニットに進入する流体を新しいフィルタ材料に遭遇させるために、プレートを、したがって入口を回転させることができる。
【０４８４】
作動／回転の方法はまた、下で更に詳細に説明するように、電子的手段を使用して自動化する及び／又は生じさせることもできる。
【０４８５】
フィルタ処理アセンブリは、主に、
ａ．銅、銅合金、
ｂ．銅、銀、鉛、又はこれらの組み合わせを含む（ゼオライトなどの）モレキュラーシーブ、
ｃ．陰イオン交換樹脂、
ｄ．上記のいずれかの組み合わせ、を含む封鎖材料に関連して本明細書に記載される。
【０４８６】
しかしながら、また、濾過ユニットは、かかる封鎖材料のためだけでなく、金属有機フレームワーク（ＭＯＦ）又は実際は任意のフィルタ材料などの任意の封鎖材料のための用途も有することも当業者によって認識されるであろう。
【０４８７】
また、フィルタ区画いずれかを、又は流体が使用中に通って流れる封鎖材料を有する濾過ユニットの領域のいずれかを選択する方法も本明細書で開示される。本方法は、相対運動が生じたときに濾過ユニット内に含まれる封鎖材料の異なる領域が入口と整列されるように、入口と濾過ユニットとの間に相対運動を生じさせることを含む。
【０４８８】
より詳細には、本方法は、作動可能要素４３０の濾過ユニット入口４３２を濾過ユニット４３０内の異なるフィルタ区画４４４と整列させることができるように、作動可能要素４３０を作動させること、例えば回転させることを含む。本方法は、例えばユーザが作動可能要素４３０のハンドル４３６を回し、したがって、濾過ユニット入口４３２及び濾過ユニット４３０の整列を調整することによって、手動で実行することができる。
【０４８９】
本方法はまた、例えば電子選択手段（図４に示さず）を使用して、自動的に実行することもできる。選択手段は、セレクタと称され得る。セレクタは、プロセッサと、回路と、作動可能要素４３０と、を含むことができ、また、作動可能要素４３０を作動させるように構成される。セレクタはまた、プロセッサによって実行されたときに、本明細書で開示される方法を実行する命令を含むメモリも含み得る。セレクタは、濾過ユニット入口４３２と濾過ユニット４４０との間に相対運動を生じさせるように配設及び構成される。セレクタは、熱交換システムの動作時間を監視し、及び／又は選択したフィルタ区画４４２を通過した流体の量を監視するセンサ若しくはセンサのアレイを含み得る。閾値に、例えば、閾値動作時間に、及び／又は選択したフィルタ区画４４２を通過した流体の量に関する閾値に到達した時点で、セレクタは、相対運動を生じさせて、どのフィルタ区画を作動させるか、フィルタ区画４３２を選択するのかを調整し得る。換言すれば、セレクタは、フィルタ区画の異なる１つを通してフィルタアセンブリ４００を通過する流体を方向転換することができる。
【０４９０】
セレクタは、様々なトリガに応じて、濾過ユニット入口４３２と濾過ユニット４４０との間に相対運動を、例えば、濾過ユニット入口４３２を備える作動可能要素に回転を生じさせるように配設及び構成することができる。上で説明したように、１つのトリガは、システム動作時間の時間閾値に到達し得る。適切なトリガの別の例は、冷媒破壊の示度の受信であり得る。そのような一実施形態において、セレクタは、ＴＡＮ、フッ化物、又はヨウ化物のレベルを監視するための監視システムを備える。これらの材料の１つ又は全ての値に関する閾値などの適切なトリガをシステムに生じさせることができる。閾値に到達すると、セレクタによって、作動可能要素の回転が生じる。
【０４９１】
本明細書に記載されるフィルタアセンブリに関する手法は、非一時的コンピュータ可読媒体であり得るコンピュータ可読媒体に具現化され得る。コンピュータ可読媒体は、本明細書に記載される方法のいずれか又は全てをプロセッサに実行させるように、プロセッサで実行するように配設されたコンピュータ可読命令を担持する。
【０４９２】
本明細書で使用されるとき、「コンピュータ可読媒体」という用語は、プロセッサを特定の様態で動作させるためのデータ及び／又は命令を格納する任意の媒体を指す。かかる記憶媒体は、不揮発性媒体及び／又は揮発性媒体を備え得る。不揮発性媒体としては、例えば、光ディスク又は磁気ディスクが挙げられ得る。揮発性媒体としては、ダイナミックメモリが挙げられ得る。記憶媒体の例示的な形態としては、フロッピーディスク、フレキシブルディスク、ハードディスク、ソリッドステートドライブ、磁気テープ、又は任意の他の磁気データ記憶媒体、ＣＤ−ＲＯＭ、任意の他の光データ記憶媒体、１つ以上のパターンの孔を有する任意の物理的媒体、ＲＡＭ、ＰＲＯＭ、ＥＰＲＯＭ、フラッシュＥＰＲＯＭ、ＮＶＲＡＭ、及び任意の他のメモリチップ又はカートリッジが挙げられる。
【０４９３】
開示されるフィルタアセンブリ及びそれに関する方法は、有利である。流体と接触する封鎖材料の領域を調整することを可能にすることによって、フィルタアセンブリの寿命を、従来技術のフィルタアセンブリに対して延ばすことができる。
【実施例】
【０４９４】
実施例１
封鎖材料として作用する銅の能力を試験した。
【０４９５】
約１０００ｐｐｍの量の一級酸化防止剤安定剤ＢＨＴを含む５０重量％のＰＯＥ油（ＰＯＥ  ＩＳＯ３２、Ｅｍｋａｒａｔｅ  ＲＬ  ３２−３ＭＡＦ）と、５０重量％のＣＦ３Ｉとの配合物を、金属クーポンと共に封止チューブ内に配置した。銅の表面積は、冷媒１ｋｇ当たり約０．０８ｍ２であった。次いで、封止チューブを、１７５℃で２週間にわたって加熱し、冷媒及び潤滑剤の破壊を生じさせた。次いで、封止チューブを開き、油の試料を取り出した。
【０４９６】
試料の全酸価（Ｔｏｔａｌ  Ａｃｉｄ  Ｎｕｍｂｅｒ、ＴＡＮ）、ヨウ化物ｐｐｍ、及びフッ化物ｐｐｍを、試料の開始時（すなわち、加熱前）、及び試料の終了時（すなわち、加熱後）に測定した。
【０４９７】
ＴＡＮは、ＡＳＴＭ  Ｄ９７４−０６、色指示薬滴定による酸価及び塩基価の標準試験法に従って測定した。
【０４９８】
「フッ化物及び／又はヨウ化物の濃度を決定するための例示的な方法」の項にて上で説明した方法に従って、Ｄｉｏｎｅｘ（登録商標）ＩＣＳ−２０００イオンクロマトグラフシステムを使用して、フッ化物及びヨウ化物ｐｐｍを測定した。
【０４９９】
試験の結果を表１に記載する。
【０５００】
【表１】
2020535370.tif 000004
【０５０１】
この結果は、銅が存在しない場合と比較して、銅が存在する場合に、ＴＡＮ、フッ化物、及びヨウ化物の濃度が驚くほど低いことを証明している。したがって、この結果は、銅が存在しない場合よりも、銅が存在する場合の方が、冷媒及び潤滑剤の分解の程度がより小さいことを証明している。
【０５０２】
銅が存在しない場合、ヨウ化物の濃度は、加熱に応じて急激に増加する。しかしながら、驚くべきことに、ヨウ化物の濃度は、銅が存在する場合には、加熱に応じて変化せず、このことは、システムの向上した信頼性をもたらすことが理解される。
【０５０３】
実施例２
封鎖材料として作用するゼオライトを含む銀の能力を試験した。
【０５０４】
試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０５０５】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの配合物を、封止チューブ内に配置し、１９０℃で２日間にわたって加熱した。これらの条件で、冷媒及び潤滑剤の破壊を生じさせた。次いで、封止チューブを開き、油の試料を取り出した。
【０５０６】
次いで、油試料を、ゼオライトと共にＦｉｓｃｈｅｒ−Ｐｏｒｔｅｒチューブ内に配置した。試料（潤滑剤）に対する乾燥ゼオライトの量を測定した。次いで、チューブを１５℃又は５０℃のいずれかで１１４時間（４．７５日）にわたって維持した。チューブは、２時間毎に振盪して、ゼオライト及び試料が適切に混合することを確実にした。
【０５０７】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつゼオライトとの組み合わせ前）、及び終了時（すなわち、ゼオライトとの組み合わせ後、かつ１５℃又は５０℃で１１４時間の終了時）に測定した。ＴＡＮ、フッ化物、及びヨウ化物の濃度を、実施例１と同じ方法に従って測定した。
【０５０８】
試験の結果を表２に記載する。
【０５０９】
【表２】
2020535370.tif 000005
【０５１０】
上記の試験は、ＰＯＥ油及びＣＦ３Ｉ冷媒の組成物が分解した後にそれを効果的に「復元する」ゼオライトの能力を証明している。
【０５１１】
この結果は、約５ｐｐｈｌゼオライト又は約２１ｐｐｈｌゼオライトのいずれかを使用した場合、ゼオライトが、１５℃及び５０℃の両方において、分解試料のヨウ化物及びフッ化物レベルを低減することができたことを証明している。しかしながら、ゼオライトは、１５℃よりも５０℃の方が、また、約５ｐｐｈｌよりも約２１ｐｐｈｌゼオライトの方が、より良好に機能した。驚くべきことに、５０℃で約２１ｐｐｈｌゼオライトでは、極僅かなヨウ化物しか検出されなかった。
【０５１２】
この結果はまた、約２１ｐｐｈｌゼオライトの濃度では、１５℃及び５０℃の両方でＴＡＮが低減されたことも示している。
【０５１３】
実施例３Ａ
封鎖材料として作用する陰イオン交換樹脂の能力を試験した。
【０５１４】
２つの異なる陰イオン交換樹脂を試験した。
【０５１５】
第１の樹脂
第１の樹脂は、塩化物交換性イオンを有する強塩基性（１型）陰イオン交換樹脂（Ｄｏｗｅｘ（登録商標）１Ｘ８塩化物形態）であった。
【０５１６】
［表Ｂ］
2020535370.tif 000006
【０５１７】
第１の樹脂は、修飾することなく使用した。
【０５１８】
第２の樹脂
第２の樹脂は、塩化物交換性イオンを有する強塩基性の（１型）陰イオン交換樹脂（Ｄｏｗｅｘ（登録商標）１Ｘ８塩化物形態）であった。
【０５１９】
［表Ｃ］
2020535370.tif 000007
【０５２０】
第２の樹脂は、以下の実施例で使用する前に、５〜１０ベッド容量の４％  ＮａＯＨによって少なくとも１時間にわたって樹脂を緩やかに洗浄し、続いて、流出液のｐＨが７±０．５になるまで、脱イオン水によって洗浄することによって、塩化物形態からヒドロオキシ形態に変換した。ｐＨは、リトマス試験紙を使用して測定した。
【０５２１】
方法及び結果
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの配合物を、封止チューブ内に配置し、１９０℃で２日間にわたって加熱した。これらの条件で、冷媒及び潤滑剤の破壊を生じさせた。次いで、封止チューブを開き、油の試料を取り出した。
【０５２２】
次いで、試料を、陰イオン交換樹脂と共にＦｉｓｃｈｅｒ−Ｐｏｒｔｅｒチューブ内に配置した。試料に対する乾燥樹脂の量を測定した。次いで、チューブを１５℃又は５０℃のいずれかで１１４時間（４．７５日）にわたって維持した。チューブは、２時間毎に振盪して、樹脂及び試料が適切に混合することを確実にした。
【０５２３】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつ樹脂との組み合わせ前）、及び終了時（すなわち、樹脂との組み合わせ後、かつ１５℃又は５０℃で１１４時間の終了時）に測定した。ＴＡＮ、フッ化物、及びヨウ化物の濃度を、実施例１と同じ方法に従って測定した。
【０５２４】
結果を以下の表３に記載する。
【０５２５】
【表３】
2020535370.tif 000008
【０５２６】
上記の試験は、ＰＯＥ油及びＣＦ３Ｉ冷媒の組成物が分解した後にそれを効果的に「復元する」陰イオン交換樹脂の能力を証明している。
【０５２７】
この結果は、約４ｐｐｈｌゼオライト又は約１６ｐｐｈｌ樹脂のいずれかを使用した場合、どちらの樹脂も、１５℃及び５０℃の両方において、分解試料のヨウ化物及びフッ化物レベルを低減することができたことを証明している。どちらの樹脂も、１５℃よりも５０℃の方が、また、約４ｐｐｈｌよりも約１６ｐｐｈｌゼオライトの方が、より良好に機能した。
【０５２８】
第２の樹脂は、両方の温度で（すなわち、１５℃及び５０℃で）、かつ両方の樹脂濃度で（すなわち約４ｐｐｈｌ、及び約１６ｐｐｈｌ樹脂で）試料のＴＡＮを低減することができた。
【０５２９】
実施例３Ｂ
以下の２つのアニオン樹脂を使用したことを除いて、実施例３Ａを繰り返す：
【０５３０】
Ａ−以下の特性を有する、Ａｍｂｅｒｌｙｓｔ  Ａ２１（遊離塩基）の商品名で販売されている産業グレードの弱塩基陰イオン交換樹脂：
【０５３１】
［表Ｄ］
2020535370.tif 000009
【０５３２】
Ｂ−以下の特性を有する、Ａｍｂｅｒｌｙｓｔ  Ａ２２の商品名で販売されている産業グレードの弱塩基陰イオン交換樹脂：
【０５３３】
［表Ｅ］
2020535370.tif 000010
【０５３４】
これらの樹脂の各々は、上記の材料を除去及び／又は低減するのに効果的であることが分かった。
【０５３５】
実施例４
封鎖材料として作用する陰イオン交換樹脂及びゼオライトの組み合わせの能力を試験した。
【０５３６】
陰イオン交換樹脂
樹脂は、水酸基交換性イオン（Ｄｏｗｅｘ（登録商標）Ｍａｒａｔｈｏｎ（商標）Ａ、水酸化物形態）を有する強塩基性（１型）陰イオン交換樹脂であった。
【０５３７】
［表Ｆ］
2020535370.tif 000011
【０５３８】
樹脂は、修飾することなく使用した。
【０５３９】
ゼオライト
試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０５４０】
方法及び結果
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの配合物を、封止チューブ内に配置し、１７５℃で２日間にわたって加熱した。これらの条件で、冷媒及び潤滑剤の破壊を生じさせた。次いで、封止チューブを開き、油（すなわち、潤滑剤）の試料を取り出した。
【０５４１】
次いで、潤滑剤試料を、陰イオン交換樹脂及びゼオライトの組み合わせと共にＦｉｓｃｈｅｒ−Ｐｏｒｔｅｒチューブ内に配置した。試料に対する乾燥樹脂及びゼオライトの量を測定した。次いで、チューブを、約５０℃で１９２時間（８日）にわたって維持した。チューブは、２時間毎に振盪して、樹脂及び試料が適切に混合することを確実にした。
【０５４２】
油の全酸価（ＴＡＮ）、ヨウ化物ｐｐｍ、及びフッ化物ｐｐｍを、開始時（すなわち、ＣＦ３Ｉ及びＰＯＥ油の分解後、かつ樹脂及びゼオライトとの組み合わせ前）、及び終了時（すなわち、樹脂及びゼオライトとの組み合わせ後、かつ５０℃で１９２時間の終了時）に測定した。ＴＡＮ、フッ化物、及びヨウ化物の濃度を、実施例１と同じ方法に従って測定した。
【０５４３】
結果を下記の表４に記載する。
【０５４４】
【表４】
2020535370.tif 000012
【０５４５】
上記の試験は、ＰＯＥ油及びＣＦ３Ｉ冷媒の組成物が分解した後にそれを効果的に「復元する」陰イオン交換樹脂及びゼオライトの組み合わせの能力を証明している。この結果は、異なる比率の陰イオン交換樹脂及びゼオライトを使用した場合、どちらの樹脂も、５０℃において、分解試料のヨウ化物及びフッ化物レベルを低減することができたことを証明している。ゼオライト対イオン交換重量２５：７５は、試料のＴＡＮの最大の低減を示し、更に、ヨウ化物及びフッ化物含有量（ｐｐｍ）の最高の減少を示した。
【０５４６】
実施例５
処理されている熱伝達組成物のパーセンテージでのゼオライトの量の関数として、フッ化物、ヨウ化物の除去、及びＴＡＮ低減しのレベルを研究した。
【０５４７】
試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０５４８】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの配合物を、封止チューブ内に配置し、１７５℃で２日間にわたって加熱した。これらの条件で、冷媒及び潤滑剤の破壊を生じさせた。次いで、封止チューブを開き、油の試料を取り出した。
【０５４９】
次いで、前述の段落に従って、破壊後に生成された潤滑剤試料の一部分を、５つのＰａｒｒセルに充填し、セルの各々は、セル内に配置された潤滑剤の重量に基づいて、異なる量（重量による）のゼオライトを有する。次いで、Ｐａｒｒセルを５０℃に維持し、各セル内の材料を１５日にわたって２４時間毎に試験した。Ｐａｒｒセルは、毎日振盪して、ゼオライト及び潤滑剤が適切に混合することを確実にした。
【０５５０】
油の全酸価（ＴＡＮ）、ヨウ化物ｐｐｍ、及びフッ化物ｐｐｍを、開始時（すなわち、ＣＦ３Ｉ及びＰＯＥ油の分解後、かつゼオライトとの組み合わせ前）に、及び１５日間にわたって２４時間毎に（すなわち、５０℃でのゼオライトとの組み合わせ後）に測定した。
【０５５１】
試験の結果を下記の表５に記載する。
【０５５２】
【表５】
2020535370.tif 000013
【０５５３】
上記の試験は、潤滑剤、特定のＰＯＥ油、及びＣＦ３Ｉ冷媒の組成物が分解した後にそれを効果的に「復元する」ゼオライトの能力を証明している。
【０５５４】
この結果は、１０ｐｐｈｌを超える量のゼオライトが、ヨウ化物レベルを検出不能限度まで低減する際により効果的であること、及び５ｐｐｈｌを超えるゼオライト材料の量が、フッ化物レベルを検出不能の限度まで低減する際により効果的であることを示している。この結果はまた、１５ｐｐｈｌを超えるゼオライトの量が、ＴＡＮを低減する際に最も効果的であることも示している。
【０５５５】
実施例６−好ましいイオン交換材料
封鎖材料として作用する産業グレードの弱塩基陰イオン交換吸着材樹脂Ａｍｂｅｒｌｙｓｔ  Ａ２１（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。
【０５５６】
出願人らは、Ａｍｂｅｒｌｙｓｔ  Ａ２１が、本発明に従って使用するための優れた材料であることを見出した。この材料は、マクロ多孔性構造を有し、この構造は、本方法及びシステムにおいて、物理的に非常に安定しており、かつ破損に抵抗し、また、寿命にわたって、冷凍システムの高い流速に耐えることができる。
【０５５７】
実施例７
封鎖材料として作用する産業グレードの弱塩基陰イオン交換吸着材樹脂Ａｍｂｅｒｌｙｓｔ  Ａ２１（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。Ａｍｂｅｒｌｙｓｔ  Ａ２１のマトリックスは、マクロ多孔性である。そのマクロ多孔性構造は、物理的に非常に安定しており、かつ破損に抵抗する。また、寿命にわたって、冷凍システムの高い流速に耐えることができる。以下の特性を有する、Ａｍｂｅｒｌｙｓｔ  Ａ２１（遊離塩基）の商品名で販売されている産業グレードの弱塩基陰イオン交換樹脂：
【０５５８】
［表Ｇ］
2020535370.tif 000014
【０５５９】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０５６０】
次いで、試料を、Ａｍｂｅｒｌｙｓｔ  Ａ２１と共にＰａｒｒセル内に配置した。試料に対する乾燥Ａｍｂｅｒｌｙｓｔ  Ａ２１の量を測定した。次いで、Ｐａｒｒセルを５０℃のいずれかで２０日間にわたって維持した。セルは、毎日振盪して、Ａｍｂｅｒｌｙｓｔ  Ａ２１及び試料を適切に混合することを確実にした。
【０５６１】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｙｓｔ  Ａ２１との組み合わせ前）、及び終了時（すなわち、Ａｍｂｅｒｌｙｓｔ  Ａ２１との組み合わせ後）に測定した。ＴＡＮ、フッ化物、及びヨウ化物の濃度を、本明細書に記載される方法に従って測定した。
【０５６２】
試験の結果を表７に記載する。
【０５６３】
【表７】
2020535370.tif 000015
【０５６４】
上記の試験は、ＰＯＥ油及びＣＦ３Ｉ冷媒の組成物が分解した後にそれを効果的に「復元する」Ａｍｂｅｒｌｙｓｔ  Ａ２１の能力を証明している。
【０５６５】
この結果は、３０重量％以上のＡｍｂｅｒｌｙｓｔ  Ａ２１を使用した場合に、Ａｍｂｅｒｌｙｓｔ  Ａ２１が、５０℃において、ヨウ化物及びフッ化物のレベルを分解試料の検出可能レベル未満に低減することができたことを証明している。
【０５６６】
実施例８
封鎖材料として作用する産業グレードの弱塩基陰イオン交換吸着材樹脂Ａｍｂｅｒｌｙｓｔ  Ａ２２（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。そのマクロ多孔性構造は、物理的に非常に安定しており、かつ破損に抵抗する。また、寿命にわたって、冷凍システムの高い流速に耐えることができる。以下の特性を有する、Ａｍｂｅｒｌｙｓｔ  Ａ２２の商品名で販売されている産業グレードの弱塩基陰イオン交換樹脂：
【０５６７】
［表Ｈ］
2020535370.tif 000016
【０５６８】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０５６９】
次いで、試料を、Ａｍｂｅｒｌｙｓｔ  Ａ２２と共にＰａｒｒセル内に配置した。試料に対する乾燥Ａｍｂｅｒｌｙｓｔ  Ａ２２の量を測定した。次いで、Ｐａｒｒセルを５０℃のいずれかで２０日間にわたって維持した。セルは、毎日振盪して、Ａｍｂｅｒｌｙｓｔ  Ａ２２及び試料を適切に混合することを確実にした。
【０５７０】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｙｓｔ  Ａ２２との組み合わせ前）、及び終了時（すなわち、Ａｍｂｅｒｌｙｓｔ  Ａ２２との組み合わせ後）に測定した。ＴＡＮ、フッ化物、及びヨウ化物の濃度を、本明細書に記載される方法に従って測定した。
【０５７１】
試験の結果を表８に記載する。
【０５７２】
【表８】
2020535370.tif 000017
【０５７３】
上記の試験は、ＰＯＥ油及びＣＦ３Ｉ冷媒の組成物が分解した後にそれを効果的に「復元する」Ａｍｂｅｒｌｙｓｔ  Ａ２２の能力を証明している。
【０５７４】
この結果は、１０重量％及び３０重量％のＡｍｂｅｒｌｙｓｔ  Ａ２２を使用した場合、Ａｍｂｅｒｌｙｓｔ  Ａ２２が、５０℃において、分解試料のヨウ化物及びフッ化物レベルを低減することができたことを証明している。
【０５７５】
実施例９
封鎖材料として作用する産業グレードの弱塩基陰イオン交換吸着材樹脂Ａｍｂｅｒｌｉｔｅ  ＩＲＡ９６の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。そのマクロ多孔性構造は、物理的に非常に安定しており、かつ破損に抵抗する。また、寿命にわたって、冷凍システムの高い流速に耐えることができる。この樹脂の高い多孔性は、大きい有機分子の効率的な吸着を可能にする。以下の特性を有する、Ａｍｂｅｒｌｉｔｅ  ＩＲＡ９６の商品名で販売されている産業グレードの弱塩基陰イオン交換樹脂：
【０５７６】
［表Ｉ］
2020535370.tif 000018
【０５７７】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０５７８】
次いで、試料を、Ａｍｂｅｒｌｉｔｅ  ＩＲＡ９６と共にＰａｒｒセル内に配置した。試料に対する乾燥Ａｍｂｅｒｌｉｔｅ  ＩＲＡ９６の量を測定した。次いで、Ｐａｒｒセルを５０℃のいずれかで２０日間にわたって維持した。セルは、毎日振盪して、Ａｍｂｅｒｌｉｔｅ  ＩＲＡ９６及び試料を適切に混合することを確実にした。
【０５７９】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｉｔｅ  ＩＲＡ９６との組み合わせ前）、及び終了時（すなわち、Ａｍｂｅｒｌｉｔｅ  ＩＲＡ９６との組み合わせ後）に測定した。ＴＡＮ、フッ化物、及びヨウ化物の濃度を、本明細書に記載される方法に従って測定した。
【０５８０】
試験の結果を表１０に記載する。
【０５８１】
【表１０】
2020535370.tif 000019
【０５８２】
上記の試験は、ＰＯＥ油及びＣＦ３Ｉ冷媒の組成物が分解した後にそれを効果的に「復元する」Ａｍｂｅｒｌｉｔｅ  ＩＲＡ９６の能力を証明している。
【０５８３】
この結果は、３０重量％以上のＡｍｂｅｒｌｉｔｅ  ＩＲＡ９６を使用した場合に、Ａｍｂｅｒｌｉｔｅ  ＩＲＡ９６が、５０℃において、ヨウ化物及びフッ化物のレベルを分解試料の検出可能レベル未満に低減することができたことを証明している。
【０５８４】
実施例１０
封鎖材料として作用する産業グレードの活性アルミナＦ２００の能力を試験した。
【０５８５】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０５８６】
次いで、試料を、産業グレードの活性アルミナＦ２００と共にＰａｒｒセル内に配置した。試料に対する活性アルミナの量を測定した。次いで、Ｐａｒｒセルを５０℃のいずれかで２０日間にわたって維持した。セルは、毎日振盪して、試料の適切な混合を確実にした。
【０５８７】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＦ２００への曝露前）、及び終了時（すなわち、かつＦ２００への曝露後）に測定した。ＴＡＮ、フッ化物、及びヨウ化物の濃度を、本明細書に記載される方法によって測定した。
【０５８８】
試験の結果を表１１に記載する。
【０５８９】
【表１１】
2020535370.tif 000020
【０５９０】
実施例１１
封鎖材料としてのＡｍｂｅｒｌｙｓｔ  Ａ２１及びゼオライトＩＯＮＳＩＶ  Ｄ７３１０−Ｃの組み合わせの能力を試験した。
【０５９１】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０５９２】
次いで、試料を、封鎖材料と共にＰａｒｒセル内に配置した。試料に対する封鎖材料の量は、２０重量％であった。次いで、Ｐａｒｒセルを５０℃のいずれかで２０日間にわたって維持した。セルは、毎日振盪して、試料の適切な混合を確実にした。
【０５９３】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつ封鎖材料への曝露前）、及び終了時（すなわち、かつ封鎖材料への曝露後）に測定した。ＴＡＮ、フッ化物、及びヨウ化物の濃度を、本明細書に記載される方法によって測定した。
【０５９４】
試験の結果を表１２に記載する。
【０５９５】
【表１２】
2020535370.tif 000021
【図１Ａ】
2020535370.tif 000022
【図１Ｂ】
2020535370.tif 000023
【図２Ａ】
2020535370.tif 000024
【図２Ｂ】
2020535370.tif 000025
【図３Ａ】
2020535370.tif 000026
【図３Ｂ】
2020535370.tif 000027
【図４】
2020535370.tif 000028
【図５】
2020535370.tif 000029
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
冷媒液体を蒸発させて冷媒蒸気を生成することと、前記冷媒蒸気の少なくとも一部分を圧縮機で圧縮することと、複数の繰り返しサイクルにおいて凝縮器内で前記冷媒蒸気を凝縮することと、を含む種類の伝達を提供するための方法であって、前記方法が、
（ａ）少なくとも約５重量％の低級アルキルヨードフルオロカーボンを含む冷媒を提供することと、
（ｂ）所望によるが、好ましくは、前記圧縮機に潤滑剤を提供することと、
（ｃ）前記複数の前記サイクルの少なくとも一部分において、前記冷媒の少なくとも一部分及び／又は前記潤滑剤少なくとも一部分を封鎖材料に曝露することと、を含み、前記封鎖材料が、
ｉ．銅又は銅合金、
ｉｉ．活性アルミナ、
ｉｉｉ．銅、銀、鉛、又はこれらの組み合わせを含むゼオライトモレキュラーシーブ、
ｉｖ．陰イオン交換樹脂、
ｖ．水分除去材料、好ましくは水分除去モレキュラーシーブ、及び
ｖｉ．上記のうちの２つ以上の組み合わせを含み、
前記曝露温度が約１０℃超である、方法。
【請求項２】
前記封鎖材料が、活性アルミナと、銅、銀、鉛、又はこれらの組み合わせを含むゼオライトモレキュラーシーブと、陰イオン交換樹脂と、水分除去材料との組み合わせを含む、請求項１に記載の方法組成物。
【請求項３】
前記封鎖材料が、フィルタ要素内に含まれる、請求項２に記載の方法。
【国際調査報告】
2020535370.tif 000030
2020535370.tif 000031
2020535370.tif 000032